(57)【要約】  課題は、脳波の判定精度を向上することである。脳波判定システム（１０）は、対象者（５）の頭部（５２）の一部である測定箇所に配置される電極部（１１）にて採取される脳波を表す脳波情報が所定の条件を満たす場合に特徴的な変化を含む脳波である検出対象の脳波が生じていると判定する。所定の条件は、第１種条件と第２種条件とを含む複数の検出条件から選択される。第１種条件は、脳波情報で表される脳波に含まれる単一の周波数帯域の成分に基づいて前記検出対象の脳波を検出する条件である。第２種条件は、脳波情報で表される脳波に含まれる互いに異なる複数の周波数帯域の成分に基づいて前記検出対象の脳波を検出する条件である。
2019078325.tif 000002
【特許請求の範囲】
【請求項１】
対象者の頭部の一部である測定箇所に配置される電極部にて採取される脳波を表す脳波情報を取得する取得部と、
前記取得部で取得された前記脳波情報が判定条件を満たす場合に、特徴的な変化を含む脳波である検出対象の脳波が生じていると判定する検出部と、
を備え、
前記判定条件は、複数の条件から選択され、
前記複数の条件は、前記脳波情報で表される脳波に含まれる単一の周波数帯域の成分に基づいて前記検出対象の脳波が生じているかどうかを判定する第１種条件と、前記脳波情報で表される脳波に含まれる互いに異なる複数の周波数帯域の成分に基づいて前記検出対象の脳波が生じているかどうかを判定する第２種条件とを含む、
脳波判定システム。
【請求項２】
前記取得部で取得された前記脳波情報に基づいて、前記判定条件を前記複数の条件から選択する選択処理を行う処理部を更に備える、
請求項１の脳波判定システム。
【請求項３】
前記第２種条件は、互いに異なる第１及び第２周波数帯域の成分に基づいて前記検出対象の脳波を検出する第１検出条件を含み、
前記第１種条件は、
前記第２周波数帯域ではなく前記第１周波数帯域の成分に基づいて前記検出対象の脳波を検出する第２検出条件と、
前記第１周波数帯域ではなく前記第２周波数帯域の成分に基づいて前記検出対象の脳波を検出する第３検出条件と、
を含む、
請求項１又は２の脳波判定システム。
【請求項４】
前記第１周波数帯域は、α波の周波数帯域であり、
前記第２周波数帯域は、β波の周波数帯域である、
請求項３の脳波判定システム。
【請求項５】
前記複数の条件は、更に、健常者の脳波に基づいて選択された１以上の周波数帯域の成分に基づいて前記検出対象の脳波を検出する第３種条件を含む、
請求項１〜４のいずれか一つの脳波判定システム。
【請求項６】
前記処理部は、前記選択処理では、前記取得部で取得された前記脳波情報に含まれる互いに異なる第１及び第２周波数帯域の成分に基づいて、前記判定条件を前記複数の条件から選択する、
請求項２の脳波判定システム。
【請求項７】
前記処理部は、前記選択処理では、前記第１及び第２周波数帯域の成分に関する安静範囲と運動範囲との境界線の傾きに基づいて、前記判定条件を前記複数の条件から選択する、
請求項６の脳波判定システム。
【請求項８】
前記安静範囲は、前記対象者が身体を安静状態としているときの前記対象者の脳波の前記第１及び第２周波数帯域の成分がとり得る範囲である、
請求項７の脳波判定システム。
【請求項９】
前記運動範囲は、前記対象者が随意運動を行おうと企図した場合に前記対象者の脳波の前記第１及び第２周波数帯域の成分がとり得る範囲である、
請求項７又は８の脳波判定システム。
【請求項１０】
前記第２種条件は、前記第１及び第２周波数帯域の成分に基づいて前記検出対象の脳波を検出する第１検出条件を含み、
前記処理部は、前記境界線の傾きが負であれば、前記第１検出条件を選択する、
請求項７〜９のいずれか一つの脳波判定システム。
【請求項１１】
前記検出部は、前記第１検出条件では、前記第１及び第２周波数帯域の成分が前記安静範囲から前記運動範囲へ遷移したことをもって、前記検出対象の脳波が生していると判断する、
請求項１０の脳波判定システム。
【請求項１２】
前記複数の条件は、更に、健常者の脳波に基づいて選択された１以上の周波数帯域の成分に基づいて前記検出対象の脳波を検出する第３種条件を含み、
前記処理部は、前記境界線の傾きが０又は正であれば、前記第３種条件を選択する、
請求項７〜１１の脳波判定システム。
【請求項１３】
対象者の頭部の一部である測定箇所に配置される電極部にて採取される脳波を表す脳波情報を取得する第１ステップと、
前記第１ステップで取得された前記脳波情報が判定条件を満たす場合に、特徴的な変化を含む脳波である検出対象の脳波が生じていると判定する第２ステップと、
を含み、
前記判定条件は、複数の条件から選択され、
前記複数の条件は、前記脳波情報で表される脳波に含まれる単一の周波数帯域の成分に基づいて前記検出対象の脳波が生じているかどうかを判定する第１種条件と、前記脳波情報で表される脳波に含まれる互いに異なる複数の周波数帯域の成分に基づいて前記検出対象の脳波が生じているかどうかを判定する第２種条件とを含む、
脳波判定方法。
【請求項１４】
コンピュータシステムに、
請求項１３の脳波判定方法を実行させるためのプログラム。
【請求項１５】
コンピュータシステムに、請求項１３の脳波判定方法を実行させるためのプログラムを記録した、コンピュータシステムで読取可能な非一時的記録媒体。
【発明の詳細な説明】
【技術分野】
【０００１】
本開示は、一般に脳波判定システム、脳波判定方法、プログラム、及び非一時的記録媒体に関する。本開示は、より詳細には、対象者の頭部の一部である測定箇所に配置される電極部にて採取される脳波を表す脳波情報から検出対象の脳波を検出する脳波判定システム、脳波判定方法、プログラム、及び非一時的記録媒体に関する。
【背景技術】
【０００２】
特許文献１は、リハビリテーションシステムを開示する。リハビリテーションシステムは、脳波測定装置、提示装置、電動装具、及び、制御装置を備えている。脳波測定装置は、患者の脳波を計測する。提示装置は、患者に対して情報の提示およびフィードバックを行う。電動装具は、患者の身体に装着して、電気的および力学的な刺激の少なくとも一方を患者に与える。制御装置は、脳波測定装置によって計測された脳波から運動意図に関連した事象関連脱同期（event-related desynchronization；ＥＲＤ）信号を抽出する。制御装置は、運動意図が正しく表出されたと判定された場合に、提示装置と電動装具からフィードバックを与える。【０００３】
特許文献１では、ＥＲＤ信号は、脳波の周波数パワーの時間変化によって求められる。所定の時間範囲において、特定の周波数、例えば１０Ｈｚ付近の周波数パワーの変化が、所定の時間継続して見られた場合には、ＥＲＤ信号が検出されたと判定される。しかしながら、事象関連脱同期によりパワーが減少する周波数帯域、及びパワーの減少量等は、一律ではなく、例えば、患者（対象者）の属性（年齢及び性別等）、障害部位、障害の状態、及び個人差等によってばらつく。そのため、ＥＲＤ信号（特徴的な変化を含む脳波）は、一律には定まらず、患者によって様々な形態をとり得る。
【先行技術文献】
【特許文献】
【０００４】
【特許文献１】特開２０１６−１３１８２号公報
【発明の概要】
【０００５】
本開示の課題は、脳波の判定精度を向上できる脳波判定システム、脳波判定方法、プログラム、及び非一時的記録媒体を提供することである。
【０００６】
本開示の一態様に係る脳波測定システムは、取得部と、検出部と、を備える。前記取得部は、対象者の頭部の一部である測定箇所に配置される電極部にて採取される脳波を表す脳波情報を取得する。前記検出部は、前記取得部で取得された前記脳波情報が判定条件を満たす場合に、特徴的な変化を含む脳波である検出対象の脳波が生じていると判定する。前記判定条件は、複数の条件から選択される。前記複数の条件は、第１種条件と第２種条件とを含む。前記第１種条件は、前記脳波情報で表される脳波に含まれる単一の周波数帯域の成分に基づいて前記検出対象の脳波が生じているかどうかを判定する条件である。前記第２種条件は、前記脳波情報で表される脳波に含まれる互いに異なる複数の周波数帯域の成分に基づいて前記検出対象の脳波が生じているかどうかを判定する条件である。
【０００７】
本開示の一態様に係る脳波測定方法は、第１ステップと、第２ステップとを含む。前記第１ステップは、対象者の頭部の一部である測定箇所に配置される電極部にて採取される脳波を表す脳波情報を取得するステップである。前記第２ステップは、前記第１ステップで取得された前記脳波情報が判定条件を満たす場合に、特徴的な変化を含む脳波である検出対象の脳波が生じていると判定するステップである。前記判定条件は、複数の条件から選択される。前記複数の条件は、第１種条件と第２種条件とを含む。前記第１種条件は、前記脳波情報で表される脳波に含まれる単一の周波数帯域の成分に基づいて前記検出対象の脳波が生じているかどうかを判定する条件である。前記第２種条件は、前記脳波情報で表される脳波に含まれる互いに異なる複数の周波数帯域の成分に基づいて前記検出対象の脳波が生じているかどうかを判定する条件である。
【０００８】
本開示の一態様に係るプログラムは、コンピュータシステムに、前記脳波判定方法を実行させるためのプログラムである。
【０００９】
本開示の一態様に係る非一時的記録媒体は、コンピュータシステムに、前記脳波判定方法を実行させるためのプログラムを記録した、コンピュータシステムで読取可能な非一時的記録媒体である。
【図面の簡単な説明】
【００１０】
【図１】図１は、一実施形態に係る脳波判定システム、及びそれを備えたリハビリテーション支援システムの使用状態を示す概略図である。
【図２】図２は、同上の脳波判定システムのヘッドセットの使用状態を示す概略正面図である。
【図３】図３は、同上の脳波判定システム及びリハビリテーション支援システムの構成を示すブロック図である。
【図４】図４は、同上の脳波判定システムの活性化レベルに対する閾値の決定方法を説明するためのグラフである。
【図５】図５Ａ及び図５Ｂは、同上の脳波判定システムの活性化レベルに対する閾値の決定方法を説明するための数直線である。
【図６】図６は、同上の脳波判定システムのキャリブレーション処理における選択処理のフローチャートである。
【図７】図７は、同上の脳波判定システムの活性化レベルに対する閾値の決定方法を説明するためのグラフである。
【図８】図８は、同上の脳波判定システムのキャリブレーション画面の一例を示す説明図である。
【図９】図９は、同上の脳波判定システムの選択画面の一例を示す説明図である。
【図１０】図１０は、同上の脳波判定システムのキャリブレーション結果画面の一例を示す説明図である。
【図１１】図１１は、同上の脳波判定システムの訓練画面の一例を示す説明図である。
【図１２】図１２は、同上の脳波判定システムの検出対象の脳波の判定処理のフローチャートである。
【発明を実施するための形態】
【００１１】
（実施形態）
（１）概要
本実施形態に係る脳波判定システム１０の概要について、図１及び図２を参照して説明する。
【００１２】
本実施形態に係る脳波判定システム１０は、対象者５の脳波を測定するための脳波測定システムとしての機能を有し、対象者５の頭部５２の一部である測定箇所５１に配置される電極部１１にて採取される脳波を表す脳波情報を取得する。本開示でいう「脳波」（Electroencephalogram：EEG）とは、大脳の神経細胞（群）の発する電気信号（活動電位）を体外に導出し、記録した波形を意味する。本開示においては、特に断りが無い限り、大脳皮質の多数のニューロン群（神経網）の総括的な活動電位を対象として、これを体表に装着した電極部１１を用いて記録する頭皮上脳波を「脳波」という。
【００１３】
脳波判定システム１０は、電極部１１を有するヘッドセット１と、情報処理装置２と、を備えている。ヘッドセット１は、対象者５の頭部５２の表面（頭皮）に電極部１１を接触させた状態で、対象者５の頭部５２に装着される。本開示では、電極部１１は、頭部５２の表面に塗布されたペースト（電極糊）上に載せられることで、頭部５２の表面に接触する。このとき、電極部１１は、毛髪をかき分けることにより、毛髪を介さずに頭部５２の表面に接触する。もちろん、電極部１１は、ペーストを塗布することなく、頭部５２の表面に直接、接触してもよい。つまり、本開示では、「電極部１１を頭部５２の表面に接触させる」とは、電極部１１を直接、頭部５２の表面に接触させることの他、中間物を介して電極部１１を間接的に頭部５２の表面に接触させることも含む。中間物は、ペーストに限定されず、例えば導電性を有するゲルであってもよい。ヘッドセット１は、電極部１１にて対象者５の脳の活動電位を測定することで対象者５の脳波を測定し、脳波を表す脳波情報を生成する。ヘッドセット１は、例えば、無線通信により、脳波情報を情報処理装置２に送信する。情報処理装置２は、ヘッドセット１から取得した脳波情報に対して、種々の処理を施したり、脳波情報を表示したりする。
【００１４】
本実施形態では、脳波判定システム１０が、対象者５のリハビリテーションを支援するためのリハビリテーション支援システム１００に用いられる場合について説明する。すなわち、リハビリテーション支援システム１００は、本実施形態に係る脳波判定システム１０を備えている。リハビリテーション支援システム１００は、運動補助装置３と、制御装置４と、を更に備えている。運動補助装置３は、対象者５に機械的な刺激と電気的な刺激との少なくとも一方を加えて、対象者５の運動を補助する装置である。制御装置４は、脳波判定システム１０にて取得された脳波情報に基づいて、運動補助装置３を制御する。
【００１５】
このリハビリテーション支援システム１００は、例えば、脳卒中等の脳疾患又は事故等によって、身体の一部に運動麻痺又は運動機能の低下等が生じた人を対象者５として、運動療法によるリハビリテーションを支援する。このような対象者５においては、対象者５が自己の意思又は意図に基づいて行う運動である随意運動（voluntary movement）が、不能又はその機能の低下により満足にできないことがある。本開示でいう「運動療法」は、対象者５の身体のうち、このような随意運動の不能部位又は機能の低下が生じた部位（以下、「障害部位」という）を運動させることにより、障害部位について随意運動の機能の回復を図る方法を意味する。
【００１６】
本実施形態では、対象者５の左の手指５３（左手指）のリハビリテーションに、リハビリテーション支援システム１００が用いられる場合を例示する。つまり、この場合の対象者５においては左手指が障害部位である。ただし、この例に限らず、リハビリテーション支援システム１００は、例えば、対象者５の右手指のリハビリテーションに用いられてもよい。
【００１７】
リハビリテーション支援システム１００は、対象者５が左の手指５３による随意運動を行う際に、対象者５の左手に装着された運動補助装置３にて、対象者５の左手に機械的な刺激と電気的な刺激との少なくとも一方を加えて、随意運動を補助する。これにより、例えば、理学療法士又は作業療法士等の医療スタッフが、対象者５の手指５３を持って対象者５の随意運動を補助する場合と同様に、リハビリテーション支援システム１００にて、随意運動の補助が可能になる。そのため、リハビリテーション支援システム１００によれば、医療スタッフが補助する場合と同様に、対象者５が単独で随意運動を行う場合に比べて効果的な、運動療法によるリハビリテーションを実現可能となる。
【００１８】
ところで、上述のようなリハビリテーションを支援するためには、リハビリテーション支援システム１００は、対象者５が随意運動を行おうとする場合に、運動補助装置３にて対象者５の随意運動を補助することが望ましい。リハビリテーション支援システム１００は、脳波判定システム１０にて測定された対象者５の脳波（脳波情報）に、運動補助装置３を連動させることにより、対象者５が随意運動を行おうとする場合に運動補助装置３での随意運動の補助を実現する。言い換えれば、リハビリテーション支援システム１００は、脳活動（脳波）を利用して機械（運動補助装置３）を操作する、ブレイン・マシン・インタフェース（Brain-machine Interface：BMI）の技術を利用して、運動療法によるリハビリテーションを実現する。
【００１９】
対象者５が随意運動を行う際には（つまり、対象者５が随意運動を行う過程で）、脳波に特徴的な変化が生じ得る。つまり、対象者５が随意運動を行おうと企図（想起）した際には、随意運動の対象となる部位に対応する脳領域の活性化が起き得る。このような脳領域の例としては、体性感覚運動皮質が挙げられる。このような脳領域の活性化が起こるタイミングに合わせて、運動補助装置３にて対象者５の随意運動を補助すると、より効果的なリハビリテーションが期待できる。このような脳領域の活性化は、脳波の特徴的な変化として検出され得る。そのため、リハビリテーション支援システム１００は、対象者５の脳波にこの特徴的な変化が発生するタイミングに合わせて、運動補助装置３にて対象者５の随意運動の補助を実行する。このような脳波の特徴的な変化は、随意運動が実際に行われなくても、対象者５が随意運動を想起（image）した際（つまり運動企図中）に生じ得る。つまり、このような脳波の特徴的な変化は、随意運動が実際に行われなくても、対象者５が随意運動を行おうと企図（想起）したことによって対応する脳領域が活性化すれば、生じ得る。そのため、随意運動が不能な状態の対象者５についても、リハビリテーション支援システム１００による随意運動の補助が可能である。
【００２０】
このような構成のリハビリテーション支援システム１００によれば、医療スタッフの負担を軽減しながらも、対象者５においては、効果的な、運動療法によるリハビリテーションを実現可能となる。また、リハビリテーション支援システム１００によれば、例えば、対象者５の随意運動の補助を行う医療スタッフの熟練度等の人的要因によって随意運動の補助のタイミングがばらつくことがなく、リハビリテーションの効果のばらつきが低減される。特に、リハビリテーション支援システム１００では、脳波に特徴的な変化が生じたタイミング（つまり、脳領域が実際に活性化したタイミング）で、対象者５の随意運動を補助することができる。このように、リハビリテーション支援システム１００では、脳活動のタイミングに合わせた訓練が可能となるから、正しい脳活動の学習及び定着への貢献が期待できる。特に、脳波に特徴的な変化が起きたかどうかは、対象者５及び医療スタッフだけでは判別が困難である。したがって、リハビリテーション支援システム１００を用いることで、対象者５又は医療スタッフだけでは実現が難しい効果的なリハビリテーションが可能となる。
【００２１】
本実施形態では、対象者５がリハビリテーション支援システム１００を利用する際に、理学療法士又は作業療法士等の医療スタッフが対象者５に付き添い、リハビリテーション支援システム１００の操作等については医療スタッフが行うことと仮定する。ただし、リハビリテーション支援システム１００を利用する対象者５に医療スタッフが付き添うことは必須ではなく、例えば、リハビリテーション支援システム１００の操作等を対象者５、又は対象者５の家族等が行ってもよい。
【００２２】
ところで、本実施形態に係る脳波判定システム１０は、上述したリハビリテーション支援システム１００において、対象者５が随意運動を行う際に生じる（つまり、対象者５が随意運動を行おうと企図した際に生じ得る）特徴的な変化を含む脳波である検出対象の脳波を検出するために用いられる。詳しくは「（２）リハビリテーション支援システム」の欄で説明するが、脳波判定システム１０は、事象関連脱同期（Event-Related Desynchronization：ERD）が生じることで脳波に生じる特定の周波数帯域の強度変化を、特徴的な変化として検出する。本開示でいう「事象関連脱同期」は、随意運動時（随意運動の想起時を含む）に運動野付近で測定される脳波において、特定の周波数帯域のパワーが減少する現象を意味する。本開示でいう、「随意運動時」は、対象者５が随意運動の企図（想起）をしてから随意運動が成功又は失敗するまでの過程を意味する。「事象関連脱同期」は、この随意運動時に、随意運動の企図（想起）をトリガとして、生じ得る。事象関連脱同期によりパワーが減少する周波数帯域は、主としてα波（一例として８Ｈｚ以上１３Ｈｚ未満の周波数帯域）及びβ波（一例として１３Ｈｚ以上３０Ｈｚ未満の周波数帯域）である。
【００２３】
ただし、事象関連脱同期によりパワーが減少する周波数帯域、及びパワーの減少量等は、一律ではなく、例えば、対象者５の属性（年齢及び性別等）、障害部位、障害の状態、及び個人差等によってばらつく。そのため、脳波判定システム１０の検出対象となる脳波（対象者５が随意運動を行おうと企図した際に生じ得る特徴的な変化を含む脳波）は、一律には定まらず、対象者５によって様々な形態をとり得る。そこで、脳波判定システム１０は、脳波情報の解析、つまり検出対象となる脳波の検出に用いる判定条件を複数の条件から選択するように構成されている。判定条件は、各種のパラメータを決定するためのキャリブレーション（calibration）処理を実行することによって決定される。
【００２４】
本実施形態に係る脳波判定システム１０は、図３に示すように、取得部２１１と、検出部２１３と、を備えている。取得部２１１は、対象者５の頭部５２の一部である測定箇所５１に配置される電極部１１にて採取される脳波を表す脳波情報を取得する（図２参照）。検出部２１３は、取得部２１１で取得された脳波情報が判定条件を満たす場合に、特徴的な変化を含む脳波である検出対象の脳波が生じていると判定する。判定条件は、複数の条件から選択される。複数の条件は、第１種条件と第２種条件とを含む。第１種条件は、脳波情報で表される脳波に含まれる単一の周波数帯域の成分に基づいて検出対象の脳波が生じているかどうかを判定する条件である。第２種条件は、脳波情報で表される脳波に含まれる互いに異なる複数の周波数帯域の成分に基づいて検出対象の脳波が生じているかどうかを判定する条件である。上述したように、検出対象となる脳波（対象者５が随意運動を行おうと企図した際に生じ得る特徴的な変化を含む脳波）は、一律には定まらず、対象者５によって様々な形態をとり得る。脳波判定システム１０では、判定条件が一律ではなく、対象者５によって複数の条件から選択される。そして、複数の条件としては、単一の周波数帯域の成分を利用する第１種条件と異なる複数の周波数帯域を利用する第２種条件とが用意されている。そのため、対象者５に応じて適当な判定条件を用いることが可能になる。したがって、本実施形態の脳波判定システム１０によれば、脳波の判定精度を向上できる。
【００２５】
（２）リハビリテーション支援システム
以下、本実施形態に係るリハビリテーション支援システム１００について更に詳しく説明する。
【００２６】
リハビリテーション支援システム１００は、図１に示すように、脳波判定システム１０と、運動補助装置３と、制御装置４と、を備えている。
【００２７】
上述したように、本実施形態では、脳波判定システム１０は、ヘッドセット１と、情報処理装置２と、を備えている。
【００２８】
ヘッドセット１は、図２に示すように、対象者５の頭部５２に装着される。ヘッドセット１は、電極部１１を有している。電極部１１は、対象者５の頭部５２の一部である測定箇所５１に配置される。具体的には、ヘッドセット１は、対象者５の頭部５２の表面（頭皮）の一部に設定された測定箇所５１に電極部１１を接触させた状態で、電極部１１にて対象者５の脳波を測定し、脳波を表す脳波情報を生成する。
【００２９】
情報処理装置２は、例えば、パーソナルコンピュータ等のコンピュータシステムを主構成とする。情報処理装置２は、例えば、無線通信により、ヘッドセット１からの脳波情報を受信し、脳波情報に対する種々の処理を実行する。本実施形態では、対象者５が随意運動を行おうと企図（想起）した際に生じ得る特徴的な変化を含む脳波の検出、及びキャリブレーション処理等は、情報処理装置２にて行われる。
【００３０】
対象者５が随意運動を行おうと企図（想起）した際には、通常、身体の随意運動を行う部位に対応する運動野にて、特徴的な変化を含む脳波が発生する。そこで、脳波判定システム１０は、リハビリテーションの対象である障害部位に対応する運動野付近から採取される脳波を測定対象とする。ここで、左手指に対応する運動野は右脳にあり、右手指に対応する運動野は左脳にある。そのため、本実施形態のように対象者５の左の手指５３をリハビリテーションの対象とする場合には、対象者５の頭部５２の右側に接触させた電極部１１にて取得される脳波が、脳波判定システム１０での測定対象となる。すなわち、電極部１１は、図２に示すように、対象者５の頭部５２の右側表面の一部からなる測定箇所５１上に配置される。一例として、国際１０−２０法において電極記号「Ｃ４」で表される位置に電極部１１が配置される。対象者５の右の手指をリハビリテーションの対象とする場合には、対象者５の頭部５２の左側表面の一部からなる測定箇所、一例として、国際１０−２０法において電極記号「Ｃ３」で表される位置に電極部１１が配置される。
【００３１】
脳波判定システム１０は、対象者５が随意運動を行おうと企図した際に生じ得る特徴的な変化を含む脳波を検出すると、運動補助装置３を制御するための制御信号を出力する。すなわち、リハビリテーション支援システム１００では、対象者５が随意運動を行おうと企図した際に生じ得る特徴的な変化を含む脳波を脳波判定システム１０にて検出することをトリガにして、運動補助装置３を制御するための制御信号が発生する。これにより、リハビリテーション支援システム１００では、対象者５の随意運動に合わせて、運動補助装置３にて対象者５の随意運動を補助することが可能である。脳波判定システム１０について詳しくは「（３）脳波判定システム」の欄で説明する。
【００３２】
運動補助装置３は、対象者５に機械的な刺激と電気的な刺激との少なくとも一方を加えて、対象者５の運動を補助する装置である。本実施形態では、対象者５の左手指のリハビリテーションにリハビリテーション支援システム１００が用いられるので、図１に示すように、運動補助装置３は、対象者５の左手に装着される。
【００３３】
本実施形態では、対象者５の左手指による把持動作及び伸展動作のリハビリテーションに、リハビリテーション支援システム１００が用いられる場合を例示する。本開示でいう「把持動作」は、物をつかむ動作のことを意味する。また、本開示でいう「伸展動作」は、第１指（親指）を除く４本の手指５３（第２指〜第５指）の伸展により、手を開く動作、つまり把持動作によりつかんでいる状態の「物」を放す動作のことを意味する。つまり、この対象者５においては左手指が障害部位であって、リハビリテーション支援システム１００は、左手指による把持動作及び伸展動作という随意運動についてのリハビリテーションに用いられる。ただし、実際には、リハビリテーション支援システム１００は、対象者５の把持動作を直接的に補助するのではなく、対象者５の手指の伸展動作を補助することで、間接的に把持動作のリハビリテーションを行う。
【００３４】
そのため、リハビリテーション支援システム１００では、対象者５が随意運動として伸展動作を行う際に、対象者５の左手に装着された運動補助装置３が、対象者５の左の手指５３に機械的な刺激と電気的な刺激との少なくとも一方を加えて、随意運動を補助する。具体的には、運動補助装置３は、図３に示すように、手指駆動装置３１と、電気刺激発生装置３２と、を有している。
【００３５】
手指駆動装置３１は、第１指（親指）を除く４本の手指５３（第２指〜第５指）を保持し、これら４本の手指５３に機械的な刺激（外力）を与えることによって、４本の手指５３を動かす装置である。手指駆動装置３１は、例えば、モータ又はソレノイド等の動力源を含み、動力源で発生した力を４本の手指５３に伝えることによって、４本の手指５３を動かす。手指駆動装置３１では、保持した４本の手指５３を、第１指から離れる向きに移動（つまり伸展動作）させる「開動作」と、第１指に近づく向きに移動（つまり把持動作）させる「閉動作」と、の２種類の動作が可能である。手指駆動装置３１の開動作により対象者５の伸展動作が補助され、手指駆動装置３１の閉動作により対象者５の把持動作が補助される。
【００３６】
電気刺激発生装置３２は、対象者５の手指５３を動かすための部位に、電気的な刺激を与える装置である。ここで、対象者５の手指５３を動かすための部位は、対象者５の手指５３の筋肉と神経との少なくとも一方に対応する部位を含む。例えば、対象者５の手指５３を動かすための部位は、対象者５の腕の一部である。電気刺激発生装置３２は、例えば、対象者５の身体（例えば腕）に貼り付けられるパッドを含む。電気刺激発生装置３２は、パッドから対象者５の身体に電気的な刺激（電流）を与えることによって、手指５３を動かすための部位へ刺激を与える。
【００３７】
制御装置４は、脳波判定システム１０にて取得された脳波情報に基づいて、運動補助装置３を制御する。本実施形態では、制御装置４は、脳波判定システム１０の情報処理装置２、及び運動補助装置３に対して電気的に接続されている。制御装置４には、運動補助装置３及び制御装置４の動作用電力を供給するための電源ケーブルが接続されている。制御装置４は、運動補助装置３の手指駆動装置３１を駆動するための駆動回路、及び電気刺激発生装置３２を駆動するための発振回路を含んでいる。制御装置４は、例えば、有線通信により、情報処理装置２から制御信号を受信する。
【００３８】
制御装置４は、情報処理装置２から第１の制御信号を受信すると、駆動回路にて運動補助装置３の手指駆動装置３１を駆動し、手指駆動装置３１にて「開動作」が行われるように運動補助装置３を制御する。また、制御装置４は、情報処理装置２から第２の制御信号を受信すると、駆動回路にて運動補助装置３の手指駆動装置３１を駆動し、手指駆動装置３１にて「閉動作」が行われるように運動補助装置３を制御する。また、制御装置４は、情報処理装置２から第３の制御信号を受信すると、発振回路にて運動補助装置３の電気刺激発生装置３２を駆動し、対象者５の身体に電気的な刺激が与えられるように運動補助装置３を制御する。
【００３９】
このように、制御装置４は、脳波判定システム１０から出力される制御信号に基づいて、運動補助装置３を制御することによって、脳波判定システム１０にて取得された脳波情報に基づいて運動補助装置３を制御することが可能である。また、制御装置４は、制御装置４に備えられた操作スイッチの操作に応じて、手指駆動装置３１にて「開動作」及び「閉動作」が行われるように運動補助装置３を制御することもできる。
【００４０】
次に、リハビリテーション支援システム１００の使用方法について説明する。本実施形態では、対象者５が、ペグ１０１（図１参照）を左手指でつかんだ姿勢から、手指５３の伸展動作によりペグ１０１を放す際の随意運動（伸展動作）を、リハビリテーション支援システム１００にて補助する場合について説明する。
【００４１】
まず、準備過程として、対象者５は、ヘッドセット１を頭部５２に装着し、運動補助装置３を左手に装着する。このとき、ヘッドセット１は、少なくとも電極部１１を測定箇所５１となる対象者５の頭部５２の右側表面の一部に接触させるように、対象者５の頭部５２に装着される。運動補助装置３は、少なくとも対象者５の左手の第１指（親指）を除く４本の手指５３（第２指〜第５指）を保持し、かつパッドを対象者５の腕に貼り付けた状態で、対象者５に装着される。ヘッドセット１及び運動補助装置３は、リハビリテーション中にずれたり外れたりしないように適宜固定される。準備過程では、運動補助装置３の手指駆動装置３１にて対象者５の４本の手指５３が保持されることにより、対象者５については、ペグ１０１を左手指でつかんだ姿勢が維持される。ヘッドセット１及び運動補助装置３を対象者５に装着する作業は、対象者５自身が行ってもよいし、医療スタッフが行ってもよい。
【００４２】
準備が完了し、かつヘッドセット１と情報処理装置２とが通信可能な状態になると、ヘッドセット１にて生成された脳波情報が、情報処理装置２にて取得可能となる。つまり、脳波判定システム１０は、情報処理装置２にて、対象者５の頭部５２の一部である測定箇所５１に配置される電極部１１にて採取される脳波を表す脳波情報を取得することができる。詳しくは「（３）脳波判定システム」の欄で説明するが、情報処理装置２は、取得した脳波情報を時系列に沿ってメモリ２２（図３参照）に記憶（蓄積）する。さらに、情報処理装置２は、例えば、記憶した脳波情報について時間周波数解析（Time Frequency Analysis）を行うことにより、脳波のパワースペクトルを生成する。脳波判定システム１０は、情報処理装置２にて、パワースペクトルのデータを常時監視することにより、対象者５が随意運動を行おうと企図した際に生じ得る特徴的な変化を含む脳波の検出が可能となる。
【００４３】
ここで、対象者５がリハビリテーションを開始する前に、脳波判定システム１０は、検出対象となる脳波の検出に用いる各種のパラメータを決定するためのキャリブレーション処理を実行する。これにより、脳波判定システム１０は、事象関連脱同期によりパワーが減少する周波数帯域、及びパワーの減少量等の対象者５ごとのばらつきを加味して、検出対象となる脳波の検出精度（判定精度）の向上を図ることができる。キャリブレーション処理について詳しくは「（３）脳波判定システム」の欄で説明する。
【００４４】
キャリブレーション処理を含む準備過程の完了後、リハビリテーション支援システム１００は、対象者５のリハビリテーションを支援する訓練過程を開始する。訓練過程においては、訓練時間中に脳波判定システム１０で測定される脳波に基づいて、対象者５のリハビリテーションが支援される。具体的には、訓練時間は安静期間と運動期間とに２分されており、対象者５は、安静期間及び運動期間の各々において、リハビリテーション支援システム１００の指示に従ってリハビリテーションを実施する。本実施形態では一例として、訓練時間は「１０秒間」であって、訓練時間を２等分した場合の前半の「５秒間」が安静期間、後半の「５秒間」が運動期間であると仮定する。
【００４５】
安静期間においては、対象者５は、身体を安静状態とし、つまり随意運動を行おうと企図（想起）せず、リラックスした状態を維持する。このとき、脳波判定システム１０では、対象者５が随意運動を行おうと企図した際に生じ得る事象関連脱同期による特徴的な変化を含む脳波は検出されない。
【００４６】
一方、運動期間においては、対象者５は、手指５３の伸展動作、つまり随意運動を行おうと企図（想起）する。このとき、脳波判定システム１０では、対象者５が随意運動を行おうと企図した際に生じ得る事象関連脱同期による特徴的な変化を含む脳波が検出され得る。本実施形態では脳波の、特徴的な変化を、活性化レベルと閾値とを比較し、活性化レベルが閾値を超えるか否かによって検出する。本開示でいう「活性化レベル」は、特定の周波数帯域のパワー（パワースペクトル）の減少量を表す値である。事象関連脱同期が生じて特定の周波数帯域のパワーが減少することで、活性化レベルが閾値を超えるため、脳波判定システム１０は、活性化レベルが閾値を超えることをもって、脳波の特徴的な変化を検出する。
【００４７】
脳波判定システム１０では、このような特徴的な変化を含む脳波を検出することをトリガにして、運動補助装置３を制御するための制御信号が発生する。そのため、リハビリテーション支援システム１００では、対象者５が随意運動を行おうと企図した際に、随意運動の対象となる部位に対応する脳領域の活性化が実際に起きたタイミングに合わせて、運動補助装置３にて対象者５の随意運動を補助することが可能である。
【００４８】
訓練過程における脳波判定システム１０の動作について詳しくは「（３）脳波判定システム」の欄で説明する。
【００４９】
（３）脳波判定システム
（３．１）構成
以下、本実施形態に係る脳波判定システム１０について更に詳しく説明する。
【００５０】
脳波判定システム１０は、図３に示すように、対象者５の頭部５２に装着されるヘッドセット１と、パーソナルコンピュータ等のコンピュータシステムを主構成とする情報処理装置２と、を備えている。
【００５１】
ヘッドセット１は、電極部１１と、信号処理部１２と、第１通信部１３と、を有している。ヘッドセット１は、例えば、電池駆動式であって、信号処理部１２及び第１通信部１３等の動作用電力が電池から供給される。
【００５２】
電極部１１は、対象者５の脳波（脳波信号）を採取するための電極であって、例えば、銀−塩化銀電極である。電極部１１は金、銀、白金等でもよい。電極部１１は、第１電極１１１と、第２電極１１２と、を有している。本実施形態では、図２に示すように、対象者５の頭部５２の表面に設定された測定箇所５１は、第１測定箇所５１１及び第２測定箇所５１２を含んでいる。第１電極１１１は、第１測定箇所５１１に対応する電極であって、第１測定箇所５１１上に配置される。第２電極１１２は、第２測定箇所５１２に対応する電極であって、第２測定箇所５１２上に配置される。具体的には、第１測定箇所５１１及び第２測定箇所５１２は、頭部５２の正中中心部と右耳とを結ぶ線上に、正中中心部側（上側）から第１測定箇所５１１、第２測定箇所５１２の順に並んで配置されている。
【００５３】
また、本実施形態では、ヘッドセット１は、参照電極１１３と、アース電極１１４と、を更に備えている。参照電極１１３は、第１電極１１１及び第２電極１１２の各々で測定される脳波信号の基準電位を測定するための電極である。参照電極１１３は、頭部５２における右耳又は左耳のいずれかの後方位置に配置される。具体的には、参照電極１１３は、頭部５２において第１電極１１１及び第２電極１１２が配置されている側の耳の後方位置に配置される。本実施形態では、第１電極１１１及び第２電極１１２は、頭部５２の右側表面に配置されているので、参照電極１１３は、右耳の後方位置に配置される。アース電極１１４は、頭部５２における右耳又は左耳のうち参照電極１１３が配置されていない方の耳の後方位置に配置される。本実施形態では、参照電極１１３が右耳の後方位置に配置されるので、アース電極１１４は、左耳の後方位置に配置される。参照電極１１３及びアース電極１１４の各々は、ヘッドセット１の本体１５に対して電線１６（図２参照）にて電気的に接続されており、頭部５２の表面（頭皮）に貼り付けられる。なお、参照電極１１３及びアース電極１１４を配置する位置は、上述したような耳の後方位置ではなく、耳たぶであってもよい。耳の後方位置及び耳たぶは、頭部において脳活動由来の生体電位の影響を受けにくい場所である。つまり、参照電極１１３及びアース電極１１４は、頭部において脳活動由来の生体電位の影響を受けにくい場所に配置されることが好ましい。
【００５４】
信号処理部１２は、電極部１１、参照電極１１３及びアース電極１１４に電気的に接続されており、電極部１１から入力される脳波信号（電気信号）に対して信号処理を実行し、脳波情報を生成する。つまり、ヘッドセット１は、電極部１１にて対象者５の脳の活動電位を測定することで対象者５の脳波を測定し、信号処理部１２にて脳波を表す脳波情報を生成する。信号処理部１２は、少なくとも脳波信号を増幅する増幅器、及びＡ／Ｄ変換するＡ／Ｄ変換器を含んでおり、増幅後のディジタル形式の脳波信号を、脳波情報として出力する。
【００５５】
第１通信部１３は、情報処理装置２との通信機能を有している。第１通信部１３は、少なくとも信号処理部１２で生成された脳波情報を情報処理装置２に送信する。本実施形態では、第１通信部１３は、情報処理装置２と双方向に通信可能である。第１通信部１３の通信方式は、例えば、Ｂｌｕｅｔｏｏｔｈ（登録商標）等に準拠した無線通信である。第１通信部１３からは、随時、脳波情報が情報処理装置２に送信されている。
【００５６】
情報処理装置２は、プロセッサ２１と、メモリ２２と、を含むコンピュータシステムを主構成とする。情報処理装置２は、第２通信部２３と、操作部２４と、第３通信部２５と、表示部２６と、を更に有している。
【００５７】
第２通信部２３は、ヘッドセット１（第１通信部１３）との通信機能を有している。第２通信部２３は、少なくとも脳波情報をヘッドセット１から受信する。本実施形態では、第２通信部２３は、ヘッドセット１と双方向に通信可能である。第２通信部２３は、例えば、一例として、２００Ｈｚ程度のサンプリング周波数でサンプリングされた脳波情報を、ヘッドセット１から随時受信する。
【００５８】
第３通信部２５は、制御装置４との通信機能を有している。第３通信部２５は、少なくとも制御信号を制御装置４に送信する。第３通信部２５の通信方式は、例えば、ＵＳＢ（Universal Serial Bus）に準拠した有線通信である。
【００５９】
本実施形態では、情報処理装置２は、タッチパネルディスプレイを搭載しており、タッチパネルディスプレイが操作部２４及び表示部２６として機能する。そのため、情報処理装置２は、表示部２６に表示される各画面上でのボタン等のオブジェクトの操作（タップ、スワイプ、ドラッグ等）が操作部２４で検出されることをもって、ボタン等のオブジェクトが操作されたことと判断する。つまり、操作部２４及び表示部２６は、各種の表示に加えて、対象者５又は医療スタッフからの操作入力を受け付けるユーザインタフェースとして機能する。ただし、操作部２４は、タッチパネルディスプレイに限らず、例えば、キーボード、ポインティングデバイス、又はメカニカルなスイッチ等であってもよい。
【００６０】
プロセッサ２１は、取得部２１１、解析部２１２、検出部２１３、処理部２１４、及び入力部２１５の機能を有している。メモリ２２に記録されているプログラムをプロセッサ２１が実行することによって、取得部２１１、解析部２１２、検出部２１３、処理部２１４、及び入力部２１５の機能が実現される。
【００６１】
取得部２１１は、対象者５の頭部５２の一部である測定箇所５１に配置される電極部１１にて採取される脳波を表す脳波情報を取得する。すなわち、取得部２１１は、ヘッドセット１の電極部１１にて採取される脳波を表す脳波情報を、第２通信部２３を介してヘッドセット１から取得する。ここで、取得部２１１は、第１電極１１１にて採取される脳波を表す第１脳波情報及び第２電極１１２にて採取される脳波を表す第２脳波情報をそれぞれ取得する。つまり、本実施形態では、電極部１１が第１電極１１１及び第２電極１１２を含んでいるので、取得部２１１では、第１電極１１１で採取される脳波情報を第１脳波情報、第２電極１１２で採取される脳波情報を第２脳波情報として区別する。本実施形態では、取得部２１１はディジタル形式の脳波情報を取得し、取得した脳波情報をメモリ２２に記憶する。このとき、メモリ２２には、訓練時間の開始から終了までの間に脳波判定システム１０で測定された脳波情報の時系列データが記憶される。
【００６２】
解析部２１２は、取得部２１１で取得された脳波情報の解析を行う。解析部２１２は、メモリ２２に記憶されている脳波情報の周波数解析を行い、周波数帯域ごとの信号強度を示すスペクトルデータを生成する。具体的には、解析部２１２は、メモリ２２に記憶されている脳波情報を所定時間分だけ読み出して、例えば、短時間フーリエ変換（short-time Fourier transform：STFT）等の周波数解析を行う。これにより、時間経過に伴って変化する脳波信号について、周波数帯域ごとのパワーが算出される。本開示でいう「パワー」は、周波数帯域ごとの強度（スペクトル強度）の積算値である。
【００６３】
検出部２１３は、取得部２１１で取得された脳波情報が判定条件を満たす場合に、特徴的な変化を含む脳波である検出対象の脳波が生じていると判定する。判定条件は、複数の条件から選択される。本実施形態において、複数の条件は、第１〜第４の検出条件を含んでいる。第１検出条件は、互いに異なる第１及び第２周波数帯域の成分に基づいて検出対象の脳波を検出する条件である。第２検出条件は、第２周波数帯域ではなく第１周波数帯域の成分に基づいて検出対象の脳波を検出する条件である。第３検出条件は、第１周波数帯域ではなく第２周波数帯域の成分に基づいて検出対象の脳波を検出する条件である。第４検出条件は、予め選択された２つの周波数帯域の成分に基づいて検出対象の脳波を検出する条件である。この場合、複数の条件のいずれかが対象者に適した判定条件となる可能性が高くなる。
【００６４】
第１周波数帯域は、α波の周波数帯域であり、一例としては、８Ｈｚ以上１３Ｈｚ未満の周波数帯域である。第２周波数帯域は、β波の周波数帯域であり、一例としては、１３Ｈｚ以上３０Ｈｚ未満の周波数帯域である。本実施形態において、第１検出条件は、α波とβ波との両方を用いる条件であり、第２検出条件は、α波のみを用いる条件であり、第３検出条件は、β波のみを用いる条件である。これにより、対象者５が随意運動を行おうと企図した際に生じ得る特徴的な変化を含む脳波の判定精度が向上する。
【００６５】
第４検出条件の２つの周波数帯域は、健常者の脳波に基づいて選択されており、例えば、α波の周波数帯域に含まれる第１帯域（例えば８以上１０Ｈｚ未満）と、β波の周波数帯域に含まれる第２帯域（例えば１４Ｈｚ以上１６Ｈｚ未満）とである。第４検出条件の第１帯域及び第２帯域は、対象者５の脳波とは関係なく設定されている。第４検出条件は、デフォルト条件であるといえる。第４検出条件を用いれば、健常者の基準での脳波の判定精度が向上する。本開示でいう、「健常者」とは、脳卒中等の脳疾患又は事故等によって、身体の一部に運動麻痺又は運動機能の低下等が生じていない人をいう。
【００６６】
このような複数の条件は、第１種〜第３種条件を含んでいる。第１種条件は、脳波情報で表される脳波に含まれる単一の周波数帯域の成分に基づいて検出対象の脳波が生じているかどうかを判定する条件である。第２種条件は、脳波情報で表される脳波に含まれる互いに異なる複数の周波数帯域の成分に基づいて検出対象の脳波が生じているかどうかを判定する条件である。第３種条件は、健常者の脳波に基づいて選択された１以上の周波数帯域の成分に基づいて検出対象の脳波を検出する条件である。本実施形態の場合、第２検出条件及び第３検出条件が第１種条件に該当し、第１検出条件が第２種条件に該当する。また、第４検出条件は第３種条件に該当する。なお、第３種条件は、選択される周波数帯域の数によって、第１種条件と第２種条件とのいずれかに該当し得る。
【００６７】
検出部２１３は、取得部２１１で取得された脳波情報として、解析部２１２で解析された周波数帯域ごとのパワーを利用する。つまり、検出部２１３は、解析部２１２で解析された周波数帯域ごとのパワーに基づいて、対象者５が随意運動を行おうと企図した際に生じ得る特徴的な変化を含む脳波を検出する。具体的には、検出部２１３は、特定の周波数帯域のパワーが安静範囲と運動範囲とのいずれにあるかによって、特徴的な変化を含む脳波の有無を判断する。本開示でいう「安静範囲」は、対象者５が、身体を安静状態とし、つまり随意運動を行おうとする企図（想起）を行わず、リラックスした状態を維持しているときの、対象者５の脳波の特定の周波数帯域のパワーがとり得る範囲を意味する。換言すれば、安静範囲は、対象者５が身体を安静状態としているときの対象者５の脳波の第１及び第２周波数帯域の成分がとり得る範囲であるといえる。本開示でいう「運動範囲」は、対象者５が随意運動を行おうと企図した場合に脳波の特定の周波数帯域のパワーがとり得る範囲を意味する。換言すれば、運動範囲は、対象者５が随意運動を行おうと企図した場合に対象者５の脳波の第１及び第２周波数帯域の成分がとり得る範囲であるといえる。そして、検出部２１３は、特定の周波数帯域のパワーが安静範囲から運動範囲へ遷移したことをもって、対象者５が随意運動を行おうと企図した際に生じ得る特徴的な変化を含む脳波が発生したと判断する。換言すれば、検出部２１３は、第１検出条件では、第１及び第２周波数帯域の成分が安静範囲から運動範囲へ遷移したことをもって、検出対象の脳波が生していると判断する。
【００６８】
更に詳しく説明すると、本実施形態では一例として、検出部２１３は、解析部２１２で解析された周波数帯域ごとのパワーから、まず特定の周波数帯域のパワーの減少量を表す活性化レベルを算出する。そして、検出部２１３は、算出された活性化レベルを、メモリ２２に記憶されている閾値と比較し、活性化レベルが閾値を超えることをもって、脳波の特徴的な変化が生じたと判断する。すなわち、活性化レベルに対する閾値は、特定の周波数帯域のパワーを表すグラフ（図４参照）において、安静範囲Ａ１と運動範囲Ａ２との境界線（直線Ｌｔｈ１）に相当する値である。そのため、事象関連脱同期が生じて特定の周波数帯域のパワーが減少し、特定の周波数帯域のパワーが安静範囲Ａ１から運動範囲Ａ２へ遷移したときに、活性化レベルが閾値を超えることになる。図４は、第１周波数帯域（α波の周波数帯域）と第２周波数帯域（β波の周波数帯域）との２つの周波数帯域が特定の周波数帯域として選択されている場合（第１検出条件又は第４検出条件が選択された場合）に対応する。図５Ａ及び図５Ｂは、特定の周波数帯域のパワーを表す数直線を示す。図５Ａは、第１周波数帯域（α波の周波数帯域）が特定の周波数帯域として選択されている場合（第２検出条件）に対応する。この場合、活性化レベルに対する閾値は、安静範囲Ａ１と運動範囲Ａ２との境界（点Ｔｈ１）に相当する。図５Ｂは、第２周波数帯域（α波の周波数帯域）が特定の周波数帯域として選択されている場合（第３検出条件）に対応する。この場合、活性化レベルに対する閾値は、安静範囲Ａ１と運動範囲Ａ２との境界（点Ｔｈ２）に相当する。詳しくは「（３．２）キャリブレーション処理」の欄で説明するが、閾値は、キャリブレーション処理にて設定される。
【００６９】
処理部２１４は、脳波情報の解析に用いるパラメータを決定するためのキャリブレーション処理を実行する。つまり、処理部２１４では、少なくとも活性化レベルに対する閾値を含む各種のパラメータを決定するためのキャリブレーション処理が実行される。本実施形態において、キャリブレーション処理は、取得部２１１で取得された脳波情報に基づいて、判定条件を複数の条件から選択する選択処理を含む。つまり、検出部２１３で利用される判定条件は処理部２１４によって決定される。そのため、複数の条件から対象者に応じた判定条件を選択できる。処理部２１４によるキャリブレーション処理は、訓練過程に先駆けて実行される。処理部２１４は、キャリブレーション処理で決定された各種のパラメータを、メモリ２２に記憶する。
【００７０】
入力部２１５は、取得部２１１で取得された複数の脳波情報の中からキャリブレーション処理に使用される１以上の脳波情報を指定する指定信号を、操作部２４より受け付ける。すなわち、メモリ２２は、取得部２１１が取得した複数の脳波情報を記憶可能である。キャリブレーション処理では、これら複数の脳波情報のうち、指定信号にて指定される１以上の脳波情報が使用される。言い換えれば、入力部２１５が操作部２４より受け付ける指定信号は、メモリ２２に記憶されている複数の脳波情報の中から、キャリブレーション処理に使用される１以上の脳波情報を指定するための信号である。
【００７１】
（３．２）キャリブレーション処理
次に、訓練課程に先駆けて準備過程において実行されるキャリブレーション処理時における、脳波判定システム１０の動作について詳しく説明する。
【００７２】
（３．２．１）処理の概要
キャリブレーション処理は、リハビリテーション支援システム１００の動作モードがキャリブレーションモードであるときに行われる。キャリブレーション処理は、少なくとも活性化レベルに対する閾値を含む、各種のパラメータを決定するための処理である。本実施形態では、キャリブレーション処理は、複数の条件から判定条件を選択する選択処理を含み、判定条件に応じて活性化レベルに対する閾値が決定される。上述したように、事象関連脱同期によりパワーが減少する周波数帯域、及びパワーの減少量等は、例えば、対象者５の属性（年齢及び性別等）、障害部位、障害の状態、及び個人差等によってばらつく。そこで、脳波判定システム１０では、検出対象となる脳波の検出精度（判定精度）を高めるために、キャリブレーション処理にて、判定条件及び脳波情報の解析に用いる各種のパラメータを対象者５ごとに決定する。
【００７３】
キャリブレーション処理は、脳波判定システム１０にて、訓練課程と同様の手順で実際に対象者５の脳波を測定する測定処理と、測定された脳波に基づいて、この対象者５に合わせた各種のパラメータが決定される算出処理と、を含む。また、上述したように、キャリブレーション処理は、選択処理を含む。
【００７４】
測定処理においては、訓練時間と同様、安静期間と運動期間とに２分されたキャリブレーション時間が設定され、このキャリブレーション時間に、脳波判定システム１０にて脳波が測定される。対象者５は、キャリブレーション時間における安静期間及び運動期間の各々において、リハビリテーション支援システム１００の指示に従ってリハビリテーションを実施する。本実施形態では一例として、キャリブレーション時間は「１０秒間」であって、キャリブレーション時間を２等分した場合の前半の「５秒間」が安静期間、後半の「５秒間」が運動期間であると仮定する。
【００７５】
すなわち、安静期間においては、対象者５は、身体を安静状態とし、つまり随意運動を行おうとする企図（想起）を行わず、リラックスした状態を維持する。一方、運動期間においては、対象者５は、手指５３の伸展動作、つまり随意運動を行おうとする企図（想起）を行う。脳波判定システム１０は、これら安静期間及び運動期間の両方において、対象者５の脳波を測定する。脳波判定システム１０は、キャリブレーション時間（安静期間及び運動期間）中に測定された脳波情報を、レコードとしてメモリ２２に記憶する。つまり、本開示でいう「レコード」は、測定処理において、キャリブレーション時間の開始から終了までの間に脳波判定システム１０で測定された脳波情報の時系列データである。ただし、測定処理のキャリブレーション時間においては、訓練課程とは異なり、脳波判定システム１０は、脳波の特徴的な変化を検出する処理を行わない。
【００７６】
ここで、脳波判定システム１０は、キャリブレーション処理において、上述した測定処理を複数回行うことができる。メモリ２２は、所定数（一例として「３０」）を上限として、複数のレコードを記憶することが可能である。これにより、１ないし複数回の測定処理の終了時点において、メモリ２２には、安静期間及び運動期間における対象者５の脳波を表す、１ないし複数のレコードが記憶される。
【００７７】
選択処理では、取得部２１１で取得された脳波情報に基づいて、判定条件を複数の条件（第１〜第４検出条件）から選択する。以下、選択処理の一例について図６のフローチャートを参照して説明する。なお、図６のフローチャートは一例である。例えばステップＳ１２はステップＳ１１より先に行われてもよいし、同時に行われてもよい。また、ステップＳ１３、Ｓ１４、及びＳ１７の順番も入れ替え可能である。
【００７８】
選択処理では、まず、脳波情報を取得する（ステップＳ１０）。より詳細には、１ないし複数回の測定処理にてメモリ２２に記憶された１ないし複数のレコードを取得する。次に、α波変化率の計算（ステップＳ１１）及びβ波変化率の計算（ステップＳ１２）を行う。
【００７９】
ステップＳ１１では、解析部２１２で解析された周波数帯域ごとのパワーに基づいて、α波変化率（つまり、第１周波数帯域の成分の変化率）を計算する。例えば、解析部２１２では、α波の周波数帯域（一例として、８Ｈｚ以上１３Ｈｚ未満）に含まれる複数の範囲ごとに、安静期間のパワーと運動期間のパワーとを求める。ここで、複数の範囲は、α波の周波数帯域を更に区分した周波数帯域である。複数の範囲、例えば、８＋ｎ［Ｈｚ］を中心とする２［Ｈｚ］の範囲である。ここで、ｎは１以上３以下の値である。処理部２１４は、複数の範囲ごとに、安静期間のパワーと運動期間のパワーとからα波変化率を算出する。例えば、α波変化率は、（Ｐａ２−Ｐａ１）／Ｐａ１×１００［％］で与えられる。ここで、Ｐａ１は安静期間のパワーであり、Ｐａ２は運動期間のパワーである。そして、複数の範囲それぞれのα波変化率のうち絶対値が最も大きい値が、判定条件の決定に使用される。また、複数の範囲のうちα波変化率の絶対値が最大となる範囲が、対象者５のα波の周波数帯域として選択される。
【００８０】
ステップＳ１２では、解析部２１２で解析された周波数帯域ごとのパワーに基づいて、β波変化率（つまり、第２周波数帯域の成分の変化率）を計算する。例えば、解析部２１２では、β波の周波数帯域（一例として、１３Ｈｚ以上３０Ｈｚ未満）に含まれる複数の範囲ごとに、安静期間のパワーと運動期間のパワーとを求める。ここで、複数の範囲は、β波の周波数帯域を更に区分した周波数帯域である。複数の範囲は、例えば、１３＋ｍ［Ｈｚ］を中心とする２［Ｈｚ］の範囲である。ここで、ｍは１以上１５以下の値である。処理部２１４は、複数の範囲ごとに、安静期間のパワーと運動期間のパワーとからβ波変化率を算出する。例えば、β波変化率は、（Ｐｂ２−Ｐｂ１）／Ｐｂ１×１００［％］で与えられる。ここで、Ｐｂ１は安静期間のパワーであり、Ｐｂ２は運動期間のパワーである。そして、複数の範囲それぞれのβ波変化率のうち絶対値が最も大きい値が、判定条件の決定に使用される。また、複数の範囲のうちβ波変化率の絶対値が最大となる範囲が、対象者５のβ波の周波数帯域として選択される。
【００８１】
α波変化率の計算（ステップＳ１１）及びβ波変化率の計算（ステップＳ１２）が終了すると、α波変化率が−５％未満であるかどうかが判定される（ステップＳ１３）。α波変化率が−５％未満であれば（Ｓ１３；Ｙｅｓ）、ステップＳ１４へ進み、α波変化率が−５％以上であれば（Ｓ１３；Ｎｏ）、ステップＳ１５へ進む。ここで、−５％の値は、α波の周波数帯域に有意な変化があったかどうかを判定するための値（α波判定値）である。α波判定値は−５％に限定されず、変更されてもよい。
【００８２】
ステップＳ１４及びステップＳ１５のいずれにおいても、β波変化率が−５％未満であるかどうかが判定される。ステップＳ１４においてβ波変化率が−５％未満であれば（Ｓ１４；Ｙｅｓ）、ステップＳ１６へ進み、β波変化率が−５％以上であれば（Ｓ１４；Ｎｏ）、ステップＳ１７へ進む。一方、ステップＳ１５においてβ波変化率が−５％未満であれば（Ｓ１５；Ｙｅｓ）、ステップＳ１８へ進み、β波変化率が−５％以上であれば（Ｓ１５；Ｎｏ）、ステップＳ１９へ進む。ステップＳ１４及びステップＳ１５において、−５％の値は、β波の周波数帯域に有意な変化があったかどうかを判定するための値（β波判定値）である。β波判定値は−５％に限定されず、変更されてもよい。
【００８３】
ステップＳ１６では、第１検出条件が判定条件として選択される。つまり、α波とβ波との両方を用いる条件が選択される。これは、α波の周波数帯域とβ波の周波数帯域との両方に有意な変化が認められたからである。ステップＳ１７では、第２検出条件が判定条件として選択される。つまり、α波のみを用いる条件が選択される。これは、α波の周波数帯域のみに有意な変化が認められたからである。ステップＳ１８では、第３検出条件が判定条件として選択される。つまり、β波のみを用いる条件が選択される。これは、β波の周波数帯域のみに有意な変化が認められたからである。ステップＳ１９では、第４検出条件が判定条件として選択される。つまり、対象者５の脳波とは関係なく健常者の脳波に基づいて周波数帯域が選択されているデフォルト条件が選択される。これは、対象者５の脳波情報においてα波の周波数帯域とβ波の周波数帯域とのいずれにも有意な変化が認められなかったからである。
【００８４】
このように、選択処理では、取得部２１１で取得された脳波情報に基づいて、複数の条件（第１〜第４検出条件）から、対象者５に適した条件が判定条件として選択される。
【００８５】
算出処理においては、１ないし複数回の測定処理にてメモリ２２に記憶された１ないし複数のレコードを用いて、対象者５に合わせた各種のパラメータを決定する。具体的には、脳波判定システム１０は、随時、取得部２１１で取得された脳波情報を解析部２１２にて解析し、解析部２１２で解析された周波数帯域ごとのパワーに基づいて、各種のパラメータを決定する。このとき決定されるパラメータには、少なくとも活性化レベルに対する閾値、並びにα波及びβ波の各々の周波数帯域等が含まれている。
【００８６】
以下に、活性化レベルに対する閾値の決定方法について、図４、図５Ａ、図５Ｂ、及び図７を参照して簡単に説明する。
【００８７】
図４は、複数（ここでは一例として５つ）のレコードについて、α波及びβ波の２つの周波数帯域に着目した場合（第１検出条件が判定条件として選択された場合）の、安静期間及び運動期間の各々についてのパワーをプロットしたグラフである。図４では、横軸をα波のパワー、縦軸をβ波のパワーとし、安静期間におけるパワーの代表値（例えば、平均値）を「○」印で示し、運動期間におけるパワーの代表値（例えば、平均値）を「×」印で示している。図４では、対象者５におけるα波及びβ波の各々の周波数帯域が既に決定された状態を想定している。
【００８８】
すなわち、図４において、α波及びβ波の２つの周波数帯域について、「○」印が存在する範囲が安静範囲Ａ１であって、「×」印が存在する範囲が運動範囲Ａ２に相当する。上述したように、脳波判定システム１０は、特定の周波数帯域のパワーが安静範囲から運動範囲へ遷移したことをもって、対象者５が随意運動を行おうと企図した際に生じ得る特徴的な変化を含む脳波が発生したと判断する。そのため、図４における安静範囲Ａ１と運動範囲Ａ２との境界線（直線Ｌｔｈ１）が、活性化レベルに対する閾値に相当する。
【００８９】
図５Ａは、複数（ここでは一例として４つ）のレコードについて、α波の周波数帯域に着目した場合（第２検出条件が判定条件として選択された場合）の、安静期間及び運動期間の各々についてのパワーをプロットした数直線である。図５Ａでは、安静期間におけるパワーの代表値（例えば、平均値）を「○」印で示し、運動期間におけるパワーの代表値（例えば、平均値）を「×」印で示している。図５Ａでは、対象者５におけるα波の周波数帯域が既に決定された状態を想定している。すなわち、図５Ａにおいて、α波の周波数帯域について、「○」印が存在する範囲が安静範囲Ａ１であって、「×」印が存在する範囲が運動範囲Ａ２に相当する。そのため、図５Ａにおける安静範囲Ａ１と運動範囲Ａ２との境界（点Ｔｈ１）が、活性化レベルに対する閾値に相当する。
【００９０】
図５Ｂは、複数（ここでは一例として４つ）のレコードについて、β波の周波数帯域に着目した場合（第３検出条件が判定条件として選択された場合）の、安静期間及び運動期間の各々についてのパワーをプロットした数直線である。図５Ｂでは、安静期間におけるパワーの代表値（例えば、平均値）を「○」印で示し、運動期間におけるパワーの代表値（例えば、平均値）を「×」印で示している。図５Ｂでは、対象者５におけるβ波の周波数帯域が既に決定された状態を想定している。すなわち、図５Ｂにおいて、β波の周波数帯域について、「○」印が存在する範囲が安静範囲Ａ１であって、「×」印が存在する範囲が運動範囲Ａ２に相当する。そのため、図５Ｂにおける安静範囲Ａ１と運動範囲Ａ２との境界（点Ｔｈ２）が、活性化レベルに対する閾値に相当する。
【００９１】
このように、活性化レベルに対する閾値は、測定処理において測定された１ないし複数のレコードに基づいて決定可能である。
【００９２】
キャリブレーション処理にて決定された各種のパラメータは、メモリ２２に記憶される。その後の訓練課程において、リハビリテーション支援システム１００は、キャリブレーション処理で決定された各種のパラメータを使用する。
【００９３】
閾値の決定方法は、上述した方法に限らず、例えば、線形判別分析（Linear Discriminant Analysis：LDA）又はサポートベクターマシン（Support Vector Machine：SVM）といった様々な方法を適用可能である。
【００９４】
図７は、図４と同様に、複数（ここでは一例として５つ）のレコードについて、α波及びβ波の２つの周波数帯域に着目した場合（第１検出条件が判定条件として選択された場合）の、安静期間及び運動期間の各々についてのパワーをプロットしたグラフである。図７では、横軸をα波のパワー、縦軸をβ波のパワーとし、安静期間におけるパワーの代表値（例えば、平均値）を「○」印で示し、運動期間におけるパワーの代表値（例えば、平均値）を「×」印で示している。図７では、対象者５におけるα波及びβ波の各々の周波数帯域が既に決定された状態を想定している。
【００９５】
図７において、α波及びβ波の２つの周波数帯域について、「○」印が存在する範囲が安静範囲Ａ３であって、「×」印が存在する範囲が運動範囲Ａ４に相当する。上述したように、脳波判定システム１０は、特定の周波数帯域のパワーが安静範囲から運動範囲へ遷移したことをもって、対象者５が随意運動を行おうと企図した際に生じ得る特徴的な変化を含む脳波が発生したと判断する。そのため、図７における安静範囲Ａ３と運動範囲Ａ４との境界線（直線Ｌｔｈ２）が、活性化レベルに対する閾値に相当する。
【００９６】
キャリブレーションを実施した場合にキャリブレーション用レコード（「○」印、「×」印）の分布によっては、安静範囲と運動範囲との境界線の傾きが０又は正になる場合がある。図７では、境界線の傾きが正になった場合を示している。α波及びβ波のパワーのプロットが安静範囲Ａ３から運動範囲Ａ４に遷移した場合には、α波及びβ波のパワーはそれぞれ減少している。一方で、運動意図は、α波のパワーが減少し、β波のパワーが増加した際に検出されやすいことが確認されている（図４参照）。これらの点を考慮すると、境界線の傾きが負ではなく０又は正になっている場合には、運動意図の表出と関連する事象関連脱同期（ＥＲＤ）現象と反する基準が設定されているとも考えることができる。このため、境界線の傾きが０又は正の場合には、健常者で観測される一般的な境界線（デフォルト条件）を設定することが望ましい。
【００９７】
以上の点から、処理部２１４は、選択処理では、取得部２１１で取得された脳波情報に含まれる互いに異なる第１及び第２周波数帯域の成分に基づいて、判定条件を複数の条件から選択してよい。特に、処理部２１４は、選択処理では、第１及び第２周波数帯域の成分に関する安静範囲と運動範囲との境界線の傾きに基づいて、判定条件を複数の条件から選択してよい。より詳細には、処理部２１４は、境界線の傾きが負であれば（図４の境界線Ｌｔｈ１参照）、第１検出条件を選択するとよい。一方、処理部２１４は、境界線の傾きが０又は正であれば（図７の境界線Ｌｔｈ２参照）、第３種条件（第４検出条件）を選択するとよい。
【００９８】
（３．２．２）画面の説明
次に、キャリブレーション処理に際して、情報処理装置２の表示部２６に表示される画面について、情報処理装置２の表示部２６に表示される画面を表す図８〜図１０を参照して説明する。図８〜図１０の例において、領域を示す一点鎖線及び参照符号は説明のために表記しているに過ぎず、実際には、これらの一点鎖線及び参照符号は表示部２６に表示されない。
【００９９】
すなわち、キャリブレーション処理において、まず測定処理中には、情報処理装置２の表示部２６に、例えば、図８に示すような、キャリブレーション画面２０２が表示される。測定処理が終了すると、情報処理装置２の表示部２６には、例えば、図９に示すような、選択画面２０３が表示される。選択画面２０３では、算出処理に使用されるレコードが選択される。算出処理が終了すると、情報処理装置２の表示部２６には、例えば、図１０に示すような、キャリブレーション結果画面２０４が表示される。
【０１００】
キャリブレーション画面２０２は、図８に示すように、訓練画面２００と同様の活性化レベル表示領域Ｇ１、脳波表示領域Ｇ２、回数表示領域Ｇ５、感知状態表示領域Ｇ６、機器状態表示領域Ｇ７、ステータス表示領域Ｇ８及び終了ボタンＧ９を含んでいる。さらに、キャリブレーション画面２０２は、訓練画面２００と同様の操作ガイド領域Ｇ１０及びチェックボックスＧ１１に加えて、測定開始ボタンＧ３１、移行ボタンＧ３２及び戻るボタンＧ３３を含んでいる。キャリブレーション画面２０２の活性化レベル表示領域Ｇ１は、基本的には訓練画面２００と同じであるが、α波とβ波との各々のグラフが表示される点で、訓練画面２００と相違する。また、キャリブレーション画面２０２の回数表示領域Ｇ５は、基本的には訓練画面２００と同じであるが、「成功回数」が表示されない点で、訓練画面２００と相違する。
【０１０１】
キャリブレーション画面２０２の活性化レベル表示領域Ｇ１には、α波についての活性化レベルのグラフと、β波についての活性化レベルのグラフとが同時に表示される。ただし、α波のグラフとβ波のグラフとが区別可能なように、α波のグラフとβ波のグラフとでは表示態様（例えば、表示色）が異なる。また、キャリブレーション処理においては、活性化レベルに対する閾値が未設定であるため、活性化レベル表示領域Ｇ１には、閾値（設定値）を表す直線Ｌ１が表示されず、活性化レベルのグラフの上方の判定マークＭ１も表示されない。活性化レベルのグラフの背景色は、キャリブレーション時間の前半の安静期間（０〜５秒の期間）と、キャリブレーション時間の後半の運動期間（５〜１０秒の期間）と、で異なることが好ましい。
【０１０２】
測定開始ボタンＧ３１は、測定処理を開始するためのボタンである。測定開始ボタンＧ３１がタップされることで、脳波判定システム１０での脳波の測定が開始する。
【０１０３】
移行ボタンＧ３２は、算出処理に移行するためのボタンである。移行ボタンＧ３２がタップされることで、脳波判定システム１０は測定処理を終了し、情報処理装置２の表示部２６に表示される画面が、キャリブレーション画面２０２から選択画面２０３（図９参照）に遷移する。
【０１０４】
戻るボタンＧ３３は、脳波判定システム１０をキャリブレーション処理の開始前の状態に戻すためのボタンである。戻るボタンＧ３３がタップされることで、脳波判定システム１０は、キャリブレーション処理を終了し、キャリブレーション処理の開始前の状態に復帰する。
【０１０５】
選択画面２０３は、図９に示すように、レコード表示領域Ｇ４１、操作ガイド領域Ｇ４２、追試行ボタンＧ４３、選択数表示領域Ｇ４４及び計算ボタンＧ４５を含んでいる。
【０１０６】
レコード表示領域Ｇ４１は、レコードとしてメモリ２２に記憶された脳波を表示するための領域である。ここで、レコード表示領域Ｇ４１における脳波のグラフは、脳波表示領域Ｇ２と同様に、横軸を時間（秒）、縦軸を電位として、脳波の時間変化を表す波形を表示する。図９の例では、メモリ２２に記憶されている複数（ここでは２つ）のレコードについて、脳波が上下方向に並べて表示されている。さらに、レコード表示領域Ｇ４１において、各レコードの脳波の右方には、レコードに対応付けてチェックボックスＧ４１１が表示されている。チェックボックスＧ４１１は、算出処理に用いるレコードを選択するためのアイコンである。チェックボックスＧ４１１がタップされることで、対応するレコードが算出処理に用いられる状態と、用いられない状態とが交互に切り替わる。チェックボックスＧ４１１の表示がアクティブになっている状態では、対応するレコードが算出処理に用いられる。
【０１０７】
ここにおいて、レコード表示領域Ｇ４１に表示されているレコードの数が多く、一覧表示できない場合には、レコード表示領域Ｇ４１に表示されているレコードが上下方向へスクロール可能である。その結果、レコード表示領域Ｇ４１には、レコード表示領域Ｇ４１に一覧表示可能な数を超えて、多数のレコードを表示可能となる。
【０１０８】
このとき、入力部２１５では、対象者５又は医療スタッフが、チェックボックスＧ４１１にて選択したレコードを表す指定信号を、操作部２４より受け付けることになる。つまり、対象者５又は医療スタッフが、チェックボックスＧ４１１にて算出処理に用いるレコードを選択することにより、取得部２１１で取得された複数の脳波情報の中からキャリブレーション処理（算出処理）に使用される１以上の脳波情報が指定される。
【０１０９】
操作ガイド領域Ｇ４２は、脳波判定システム１０の操作をガイドするテキスト情報を表示するための領域である。図９の例では、「分析に使用する波形を選択してください。２つ以上選択し、”計算”を押すとここに計算結果が表示されます。選択をはずした波形はやり直すことができます。やり直したい場合は”追試行”を押してください。」というテキスト情報が表示されている。操作ガイド領域Ｇ４２の表示内容は、脳波判定システム１０の動作状態に応じて変化する。
【０１１０】
追試行ボタンＧ４３は、追試行を開始するためのボタンである。本開示でいう「追試行」は、測定処理を再度行うことによりレコードを追加する処理である。追試行ボタンＧ４３がタップされることで、選択画面２０３からキャリブレーション画面２０２に遷移する。
【０１１１】
選択数表示領域Ｇ４４は、選択画面２０３において選択されたレコード（波形）の数を表示するための領域である。具体的には、レコード表示領域Ｇ４１に表示されているレコードの数（つまり、メモリ２２に記憶されているレコードの数）を分母とし、算出処理に用いるレコードとして選択されているレコードの数を分子として、分数表記でレコード数が表示される。例えば、図９に示すように、レコード表示領域Ｇ４１に表示されている２つのレコードの全てが選択されている（つまり、チェックボックスＧ４１１の表示がアクティブになっている）場合には、選択数表示領域Ｇ４４には「２／２」と表示される。
【０１１２】
計算ボタンＧ４５は、算出処理を開始するためのボタンである。計算ボタンＧ４５がタップされることで、その時点で選択画面２０３にて選択されているレコードを用いて、脳波判定システム１０は算出処理を開始する。
【０１１３】
キャリブレーション結果画面２０４は、図１０に示すように、選択画面２０３と同様のレコード表示領域Ｇ４１、追試行ボタンＧ４３、選択数表示領域Ｇ４４及び計算ボタンＧ４５を含んでいる。キャリブレーション結果画面２０４は、時間周波数マップＧ５１、情報表示領域Ｇ５２、解析結果表示領域Ｇ５３及び終了ボタンＧ５４を更に含んでいる。
【０１１４】
時間周波数マップＧ５１は、算出処理で使用されたキャリブレーション時間における特定の周波数帯域のパワーの変化の傾向を表すグラフである。時間周波数マップＧ５１では、横軸を時間軸、縦軸を周波数とする２次元マップにおいて、各座標位置のパワーを「色」にて表している。例えば、座標位置のパワーを表す色は、パワーの範囲毎に予め割り当てられている。一例としては、パワーが大きくなるほど、色が明るくなるように、パワーの範囲に色が割り当てられる。つまり、時間周波数マップＧ５１によれば、安静期間から運動期間にかけてパワーの変化が生じる周波数帯域が視覚的に表示される。また、時間周波数マップＧ５１には、算出処理で算出されたα波及びβ波の各々の周波数帯域を示す直線Ｇ５１１，Ｇ５１２が表示されている。直線Ｇ５１１は、α波の周波数帯域（範囲）の下限値及び上限値を表し、直線Ｇ５１２は、β波の周波数帯域（範囲）の下限値及び上限値を表す。
【０１１５】
情報表示領域Ｇ５２は、測定処理に関する情報を表示するための領域である。図１０の例では、測定処理の実行回数（分析試行回数）、安静期間（リラックス区間）の時間長さ、及び運動期間（イメージ区間）の時間長さを表すテキスト情報が、情報表示領域Ｇ５２に表示されている。
【０１１６】
解析結果表示領域Ｇ５３は、算出処理での解析結果を表示するための領域である。図１０の例では、α波の周波数帯域（α波周波数範囲）、β波の周波数帯域（β波周波数範囲）、事象関連脱同期による特徴的な変化を含む脳波が生じた割合（正解率）を表すテキスト情報が、解析結果表示領域Ｇ５３に表示されている。
【０１１７】
終了ボタンＧ５４は、キャリブレーション処理を終了するためのボタンである。終了ボタンＧ５４がタップされることで、脳波判定システム１０はキャリブレーション処理を終了する。
【０１１８】
（３．３）訓練過程
次に、訓練過程における脳波判定システム１０の動作について詳しく説明する。
【０１１９】
訓練過程においては、リハビリテーション支援システム１００の動作モードは、訓練モードである。リハビリテーション支援システム１００の動作モードが訓練モードであれば、情報処理装置２の表示部２６には、例えば、図１１に示すような、訓練画面２００が表示される。図１１の例において、領域を示す一点鎖線及び参照符号は説明のために表記しているに過ぎず、実際には、これらの一点鎖線及び参照符号は表示部２６に表示されない。
【０１２０】
訓練画面２００は、活性化レベル表示領域Ｇ１、脳波表示領域Ｇ２、訓練開始ボタンＧ３、装具操作ボタンＧ４、回数表示領域Ｇ５、感知状態表示領域Ｇ６、機器状態表示領域Ｇ７、ステータス表示領域Ｇ８及び終了ボタンＧ９を有している。また、訓練画面２００は、操作ガイド領域Ｇ１０、チェックボックスＧ１１、訓練情報出力ボタンＧ１２、履歴ボタンＧ１３及び設定ボタンＧ１４を更に有している。
【０１２１】
活性化レベル表示領域Ｇ１は、活性化レベルのグラフを表示するための領域である。活性化レベルのグラフは、横軸を時間（秒）、縦軸を活性化レベルとして、活性化レベルの時間変化を表す波形を表示する。活性化レベル表示領域Ｇ１において、直線Ｌ１は閾値（設定値）を表している。さらに、活性化レベルが閾値を超える期間には、活性化レベルのグラフの上方に帯状の判定マークＭ１が表示される。また、活性化レベルのグラフの背景色は、訓練時間の前半の安静期間（０〜５秒の期間）と、訓練時間の後半の運動期間（５〜１０秒の期間）と、で異なることが好ましい。
【０１２２】
脳波表示領域Ｇ２は、ヘッドセット１で測定された脳波を表示するための領域である。脳波表示領域Ｇ２における脳波は、ヘッドセット１から情報処理装置２に送信される脳波情報に従って、リアルタイムで表示される。脳波のグラフは、横軸を時間（秒）、縦軸を電位として、脳波の時間変化を表す波形を表示する。
【０１２３】
訓練開始ボタンＧ３は、訓練を開始するためのボタンである。訓練開始ボタンＧ３がタップされることで、リハビリテーション支援システム１００による訓練が開始し、脳波判定システム１０での脳波の測定が開始する。
【０１２４】
装具操作ボタンＧ４は、運動補助装置３を操作するためのボタンである。装具操作ボタンＧ４がタップされることで、脳波判定システム１０から制御信号が出力され、運動補助装置３の閉動作又は開動作が行われる。ここで、装具操作ボタンＧ４には、「装具閉」又は「装具開」というようなテキスト情報が表示される。「装具閉」と表示されている状態で装具操作ボタンＧ４がタップされると、運動補助装置３の閉動作が行われ、「装具開」と表示されている状態で装具操作ボタンＧ４がタップされると、運動補助装置３の開動作が行われる。
【０１２５】
回数表示領域Ｇ５は、成功回数及び試行回数を表示するための領域である。本開示でいう「成功回数」は、脳波判定システム１０が、対象者５が随意運動を行おうと企図した際に生じ得る事象関連脱同期による特徴的な変化を含む脳波を、訓練時間の運動期間内に検出した回数である。本開示でいう「試行回数」は、リハビリテーション支援システム１００による訓練が行われた回数である。
【０１２６】
感知状態表示領域Ｇ６は、脳波の感知状態を表示するための領域である。本実施形態では、脳波判定システム１０は、第１電極１１１及び第２電極１１２の各々について、対象者５の身体（頭皮）との間のインピーダンス値を測定し、測定されたインピーダンス値に応じて感知状態の良否を判定している。図１１の例では、感知状態表示領域Ｇ６に、インピーダンス値（図１１では「８０以上」）のテキスト表示と、第１電極１１１及び第２電極１１２の各々の感知状態の良否を表すマーカ表示と、がなされている。具体的には、第１電極１１１及び第２電極１１２の各々の感知状態の良否によって、例えば、人の頭部を模したイラスト上におけるマーカの色が変化する。
【０１２７】
機器状態表示領域Ｇ７は、リハビリテーション支援システム１００における各機器の状態を表示するための領域である。機器状態表示領域Ｇ７では、例えば、情報処理装置２におけるヘッドセット１との接続状態、ヘッドセット１の電池残量等の状態が「○」又は「×」等のアイコンで表示される。
【０１２８】
ステータス表示領域Ｇ８は、対象者５の識別情報（被験者ＩＤ）及び氏名、並びに医療スタッフの識別情報（検者ＩＤ）及び氏名等を表示するための領域である。また、ステータス表示領域Ｇ８には、「リハビリ対象」、つまりリハビリテーションの対象が「左手」と「右手」とのいずれであるかを示す対象アイコンＧ８１が更に表示される。図１１の例では、対象アイコンＧ８１は、リハビリテーションの対象が「左手」であることをテキスト情報にて示している。
【０１２９】
終了ボタンＧ９は、訓練を終了するためのボタンである。終了ボタンＧ９がタップされることで、リハビリテーション支援システム１００による訓練が終了し、脳波判定システム１０での脳波の測定が終了する。
【０１３０】
操作ガイド領域Ｇ１０は、リハビリテーション支援システム１００の操作をガイドするテキスト情報を表示するための領域である。図１１の例では、「試行を開始する場合は〔訓練開始〕ボタンを押してください」というテキスト情報が操作ガイド領域Ｇ１０に表示されている。操作ガイド領域Ｇ１０の表示内容は、リハビリテーション支援システム１００の動作状態に応じて変化する。
【０１３１】
チェックボックスＧ１１は、脳波表示領域Ｇ２に脳波を表示するか否かを切り替えるためのアイコンである。チェックボックスＧ１１がタップされることで、脳波表示領域Ｇ２に脳波が表示される状態と、表示されない状態とが交互に切り替わる。チェックボックスＧ１１の表示がアクティブになっている状態では、脳波表示領域Ｇ２に脳波が表示される。
【０１３２】
訓練情報出力ボタンＧ１２は、リハビリテーションの結果を含む訓練情報を出力するためのボタンである。訓練情報出力ボタンＧ１２がタップされることで、訓練情報が、所望の態様で出力される。訓練情報の出力の態様としては、例えば、表示、音声出力、プリントアウト（印刷）、非一時的記録媒体への書き込み、及び情報端末への送信等がある。
【０１３３】
履歴ボタンＧ１３は、リハビリテーションの結果を含む訓練情報の履歴を参照するためのボタンである。履歴ボタンＧ１３がタップされることで、情報処理装置２の表示部２６に表示される画面が、訓練画面２００から履歴参照画面に遷移する。履歴参照画面には、少なくとも対象者５が過去に実施したリハビリテーションの結果が表示される。
【０１３４】
設定ボタンＧ１４は、リハビリテーション支援システム１００の動作モードを、リハビリテーション支援システム１００に関する各種の設定を行う設定モードに移行させるためのボタンである。設定ボタンＧ１４がタップされることで、情報処理装置２の表示部２６に表示される画面が、訓練画面２００から設定画面に遷移する。
【０１３５】
訓練過程においては、上述したような訓練画面２００が情報処理装置２の表示部２６に表示された状態で、対象者５がリハビリテーションを実施する。つまり、訓練開始ボタンＧ３がタップされることで、リハビリテーション支援システム１００による訓練が開始する。
【０１３６】
訓練の開始と同時に、訓練時間のカウントが開始して、脳波判定システム１０は対象者５の脳波を測定する。そして、訓練時間の前半の安静期間（０〜５秒の期間）には、対象者５は、操作ガイド領域Ｇ１０の表示、又は医療スタッフの指示に従って、身体を安静状態とする。このとき、活性化レベル及び脳波はリアルタイムで訓練画面２００に表示される。ただし、安静期間においては、脳波判定システム１０は、活性化レベルと閾値との比較を行わず、事象関連脱同期による特徴的な変化を含む脳波の検出を行わない。
【０１３７】
一方、訓練時間の後半の運動期間（５〜１０秒の期間）には、対象者５は、操作ガイド領域Ｇ１０の表示、又は医療スタッフの指示に従って、手指５３の伸展動作、つまり随意運動を行おうとする企図（想起）を行う。このとき、活性化レベル及び脳波はリアルタイムで訓練画面２００に表示される。さらに、運動期間においては、脳波判定システム１０は、活性化レベルと閾値との比較を行い、事象関連脱同期による特徴的な変化を含む脳波を検出する。ここで、事象関連脱同期が生じることにより、活性化レベルが閾値（図１１の直線Ｌ１参照）を超えると、訓練画面２００における活性化レベルのグラフの上方に帯状の判定マークＭ１が表示される。
【０１３８】
脳波判定システム１０の判定処理について図１２のフローチャートを参照して更に詳しく説明する。まず、取得部２１１が脳波情報をヘッドセット１から取得する（Ｓ２０）。そして、検出部２１３は、処理部２１４での選択処理の結果に応じて、判定条件を決定し（ステップＳ２１）、判定条件に対応する閾値を取得する（ステップＳ２２）。ここで、脳波判定システム１０では、随時、取得部２１１で取得された脳波情報を解析部２１２にて解析する。ステップＳ２２の次のステップ２３では、脳波判定システム１０は、解析部２１２で解析された周波数帯域ごとのパワーに基づいて、検出部２１３にて活性化レベルを算出し、活性化レベルと閾値との比較を行う。脳波判定システム１０では、事象関連脱同期が生じて特定の周波数帯域のパワーが減少し、特定の周波数帯域のパワーが安静範囲から運動範囲へ遷移したときに、活性化レベルが閾値を超えたと判断される。
【０１３９】
ステップＳ２３において、判定条件に応じて、特定の周波数帯域は、単一の周波数帯域（一例として、α波の帯域又はβ波の帯域）、又は、複数の周波数帯域（一例として、α波の帯域及びβ波の帯域）となる。第１検出条件及び第４検出条件のように特定の周波数帯域が２つの周波数帯域である場合には、これら２つの周波数帯域のパワーで規定される座標値が、安静範囲から運動範囲へ遷移した場合、活性化レベルが閾値を超えたと判断される。一方、第２検出条件及び第３検出条件のように特定の周波数帯域が単一の周波数帯域である場合には、単一の周波数帯域のパワーで規定される値が、安静範囲から運動範囲へ遷移した場合、活性化レベルが閾値を超えたと判断される。
【０１４０】
活性化レベルが閾値を超えたと判断されると（Ｓ２３：Ｙｅｓ）、検出部２１３は、検出対象の脳波が生じていると判断する（ステップＳ２４）。一方、活性化レベルが閾値以下と判断されると（Ｓ２３：Ｎｏ）、検出部２１３は、検出対象の脳波が生じていないと判断する（ステップＳ２５）。
【０１４１】
また、本実施形態では、脳波判定システム１０は、活性化レベルが閾値を超えている状態の継続時間を測定する機能を有している。図１１に例示する訓練画面２００では、判定マークＭ１の長さが継続時間の長さに相当する。脳波判定システム１０は、活性化レベルが閾値以下の値から、閾値を超える値に立ち上がる（変化する）と、第３の制御信号を制御装置４に送信する。さらに、継続時間が規定時間（例えば、「１秒」）に達すると、脳波判定システム１０は、第１の制御信号を制御装置４に送信する。
【０１４２】
上記より、活性化レベルが閾値を超えたときに、運動補助装置３の電気刺激発生装置３２が駆動され、運動補助装置３にて、対象者５の身体に電気的な刺激が与えられて、対象者５の随意運動（伸展動作）が補助される。さらに、活性化レベルが閾値を超える状態が規定時間継続したときに、運動補助装置３の手指駆動装置３１が駆動され、運動補助装置３にて、手指駆動装置３１の「開動作」が行われて、対象者５の随意運動（伸展動作）が補助される。
【０１４３】
その結果、対象者５が随意運動を行おうと企図（想起）した際に、随意運動の対象となる部位に対応する脳領域の活性化が実際に起きたタイミングに合わせて、運動補助装置３にて対象者５の随意運動（左の手指５３の伸展動作）が補助される。このとき、対象者５の筋肉及び感覚神経が活動し、その情報が脳に伝達されることにより、神経の再構築が行われ、リハビリテーションの効果が得られる。したがって、リハビリテーション支援システム１００によれば、様々な状態の対象者５について、医療スタッフが補助する場合と同様に、対象者５が単独で随意運動を行う場合に比べて効果的な、運動療法によるリハビリテーションを実現可能となる。
【０１４４】
（変形例）
実施形態１は、本開示の様々な実施形態の一つに過ぎない。実施形態１は、本開示の目的を達成できれば、設計等に応じて種々の変更が可能である。また、脳波判定システム１０と同様の機能は、脳波判定方法、（コンピュータ）プログラム、又はプログラムを記録した非一時的記録媒体等で具現化されてもよい。一態様に係る脳波判定方法は、第１ステップと第２ステップとを含む。第１ステップは、対象者５の頭部５２の一部である測定箇所５１に配置される電極部１１にて採取される脳波を表す脳波情報を取得するステップである。第２ステップは、第１ステップで取得された脳波情報が判定条件を満たす場合に、特徴的な変化を含む脳波である検出対象の脳波が生じていると判定するステップである。判定条件は、複数の条件から選択される。複数の条件は、第１種条件と第２種条件とを含む。第１種条件は、脳波情報で表される脳波に含まれる単一の周波数帯域の成分に基づいて検出対象の脳波が生じているかどうかを判定する条件である。第２種条件は、脳波情報で表される脳波に含まれる互いに異なる複数の周波数帯域の成分に基づいて検出対象の脳波が生じているかどうかを判定する条件である。一態様に係る（コンピュータ）プログラムは、コンピュータシステムに、上記の脳波判定方法を実行させるためのプログラムである。
【０１４５】
以下、上記実施形態の変形例を列挙する。以下に説明する変形例は、適宜組み合わせて適用可能である。
【０１４６】
本開示における脳波判定システム１０は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における脳波判定システム１０としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。
【０１４７】
また、例えば、情報処理装置２の複数の構成要素が、１つの筐体内に集約されていることは脳波判定システム１０に必須の構成ではなく、情報処理装置２の複数の構成要素は、複数の筐体に分散して設けられていてもよい。複数の構成要素が複数の筐体に分散して設けられている場合でも、例えば、インターネット等のネットワークを介して複数の構成要素が接続されることにより、協働して脳波判定システム１０を実現することができる。さらに、脳波判定システム１０の少なくとも一部の機能は、例えば、サーバ又はクラウド（クラウドコンピューティング）等によって実現されてもよい。反対に、例えば、ヘッドセット１及び情報処理装置２のように、複数の装置に分散されている機能が、脳波判定システム１０の一部として、脳波判定システム１０の他の構成要素と共に１つの筐体内に集約されていてもよい。
【０１４８】
また、電極部１１は、対象者５の頭部５２の表面（頭皮）に接触する構成に限らず、例えば、脳の表面（脳表）に電極部１１が接触するように電極部１１が構成されてもよい。
【０１４９】
また、リハビリテーション支援システム１００は、対象者５の手指のリハビリテーションに限らず、例えば、肩、肘、上腕、腰、下肢、又は上肢等、対象者５の身体の任意の部位のリハビリテーションに用いられてもよい。対象者５が随意運動を行おうと企図（想起）した際に生じ得る脳波の特徴的な変化の仕方は、リハビリテーションの対象部位及び運動内容等によって異なる場合がある。例えば、対象者５が随意運動を行おうと企図した際に事象関連同期（Event-Related Synchronization：ERS）が生じる場合には、随意運動時に運動野付近で測定される脳波において、特定の周波数帯域のパワーが増加する。この場合、脳波判定システム１０では、特定の周波数帯域のパワーが増加することをもって、脳波の特徴的な変化を検出する。また、脳波判定システム１０の検出対象の脳波は、対象者５が随意運動を行おうと企図した際に生じ得る特徴的な変化を含む脳波に限定されない。例えば、検出対象の脳波は、対象者５が所定の情報を得た際に生じる特徴的な変化を含む脳波であってもよい。ここで、所定の情報は、例えば、視覚情報（映像、画像等）と聴覚情報（音声、音楽等）がある。つまり、脳波判定システム１０の検出対象の脳波は、特徴的な変化を含む脳波であれば、特にその特徴的な変化の要因は問わない。
【０１５０】
また、判定条件の候補となる複数の条件は、少なくとも１つの第１種条件と少なくとも１つの第２種条件とを含んでいればよく、第３種条件は必須ではない。また、上記実施形態では、第２種条件として、２つの異なる周波数帯域（第１周波数帯域及び第２周波数帯域）を利用する条件を例示しているが、異なる周波数帯域の数は３以上であってもよい。また、第１周波数帯域及び第２周波数帯域の組み合わせは、α波の周波数帯域とβ波の周波数帯域との組み合わせに限定されない。これらは、検出対象の脳波に応じて適宜変更され得る。
【０１５１】
また、判定処理において、α波判定値とβ波判定値は、変更されてもよい。例えば、α波判定値とβ波判定値が小さくなれば、第１検出条件よりも第４検出条件が選択され易くなる。一方、α波判定値とβ波判定値が大きくなれば、第４検出条件よりも第１検出条件が選択され易くなる。そのため、健常者と同じ基準でのリハビリテーションを優先する場合には、α波判定値とβ波判定値を小さくすればよく、対象者５にあった基準でのリハビリテーションを優先する場合には、α波判定値とβ波判定値を大きくすればよい。なお、上記実施形態では、α波変化率及びβ波変化率は負の値であるが、正の値であってもよい。この場合、α波判定値とβ波判定値も正の値を取り得る。
【０１５２】
また、リハビリテーション支援システム１００は、対象者５に電気的又は機械的（力学的）な刺激を与える構成に限らず、例えば、映像を表示することで、対象者５に視覚的な刺激を与える構成であってもよい。この場合、リハビリテーション支援システム１００は、例えば、対象者５が随意運動を行おうと企図した際に、随意運動の対象となる部位に対応する脳領域の活性化が実際に起きたタイミングに合わせて、障害部位が正常に動いているような映像を対象者５に見せる。このようにしても、リハビリテーション支援システム１００は、対象者５の随意運動を補助することができる。
【０１５３】
また、運動補助装置３と制御装置４とは別体に限らず、例えば、運動補助装置３と制御装置４とが１つの筐体内に収容され一体化されていてもよい。
【０１５４】
また、ヘッドセット１と情報処理装置２との間の通信方式は、実施形態１では無線通信であるが、この例に限らず、例えば、有線通信であってもよいし、中継器等を介した通信方式であってもよい。制御装置４と情報処理装置２との間の通信方式は、実施形態１では有線通信であるが、この例に限らず、例えば、無線通信であってもよいし、中継器等を介した通信方式であってもよい。
【０１５５】
また、ヘッドセット１は電池駆動式に限らず、信号処理部１２及び第１通信部１３等の動作用電力が、例えば、情報処理装置２から供給される構成であってもよい。
【０１５６】
また、情報処理装置２は、専用のヘッドセット１から脳波情報を取得する構成に限らず、例えば、汎用の脳波計から脳波情報を取得するように構成されていてもよい。
【０１５７】
（まとめ）
以上述べた実施形態及び変形例から明らかなように、第１の態様の脳波判定システム（１０）は、取得部（２１１）と、検出部（２１３）と、を備える。前記取得部（２１１）は、対象者（５）の頭部（５２）の一部である測定箇所（５１）に配置される電極部（１１）にて採取される脳波を表す脳波情報を取得するように構成される。前記検出部（２１３）は、前記取得部（２１１）で取得された前記脳波情報が判定条件を満たす場合に、特徴的な変化を含む脳波である検出対象の脳波が生じていると判定するように構成される。前記判定条件は、複数の条件から選択される。前記複数の条件は、第１種条件と第２種条件とを含む。前記第１種条件は、前記脳波情報で表される脳波に含まれる単一の周波数帯域の成分に基づいて前記検出対象の脳波が生じているかどうかを判定する条件である。前記第２種条件は、前記脳波情報で表される脳波に含まれる互いに異なる複数の周波数帯域の成分に基づいて前記検出対象の脳波が生じているかどうかを判定する条件である。第１の態様によれば、脳波の判定精度を向上できる。
【０１５８】
第２の態様の脳波判定システム（１０）は、第１の態様との組み合わせにより実現され得る。第２の態様では、前記脳波判定システム（１０）は、前記取得部（２１１）で取得された前記脳波情報に基づいて、前記判定条件を前記複数の条件から選択する選択処理を行う処理部（２１４）を更に備える。第２の態様によれば、複数の条件から対象者に応じた判定条件を選択できる。
【０１５９】
第３の態様の脳波判定システム（１０）は、第１又は第２の態様との組み合わせにより実現され得る。第３の態様では、前記第２種条件は、互いに異なる第１及び第２周波数帯域の成分に基づいて前記検出対象の脳波を検出する第１検出条件を含む。前記第１種条件は、前記第２周波数帯域ではなく前記第１周波数帯域の成分に基づいて前記検出対象の脳波を検出する第２検出条件と、前記第１周波数帯域ではなく前記第２周波数帯域の成分に基づいて前記検出対象の脳波を検出する第３検出条件と、を含む。第３の態様によれば、複数の条件のいずれかが対象者に適した判定条件となる可能性が高くなる。
【０１６０】
第４の態様の脳波判定システム（１０）は、第３の態様との組み合わせにより実現され得る。第４の態様では、前記第１周波数帯域は、α波の周波数帯域であり、前記第２周波数帯域は、β波の周波数帯域である。第４の態様によれば、対象者（５）が随意運動を行おうと企図した際に生じ得る特徴的な変化を含む脳波の判定精度が向上する。
【０１６１】
第５の態様の脳波判定システム（１０）は、第１〜第４の態様のいずれか一つとの組み合わせにより実現され得る。第５の態様では、前記複数の条件は、更に、健常者の脳波に基づいて選択された１以上の周波数帯域の成分に基づいて前記検出対象の脳波を検出する第３種条件を含む。第５の態様によれば、健常者の基準での脳波の判定精度が向上する。
【０１６２】
第６の態様の脳波判定システム（１０）は、第２の態様との組み合わせにより実現され得る。第６の態様では、前記処理部（２１４）は、前記選択処理では、前記取得部（２１１）で取得された前記脳波情報に含まれる互いに異なる第１及び第２周波数帯域の成分に基づいて、前記判定条件を前記複数の条件から選択する。第６の態様によれば、複数の条件から対象者に応じた判定条件を選択できる。
【０１６３】
第７の態様の脳波判定システム（１０）は、第６の態様との組み合わせにより実現され得る。第７の態様では、前記処理部（２１４）は、前記選択処理では、前記第１及び第２周波数帯域の成分に関する安静範囲（Ａ１，Ａ３）と運動範囲（Ａ２，Ａ４）との境界線（Ｌｔｈ１，Ｌｔｈ２）の傾きに基づいて、前記判定条件を前記複数の条件から選択する。第７の態様によれば、複数の条件から対象者に応じた判定条件を選択できる。
【０１６４】
第８の態様の脳波判定システム（１０）は、第７の態様との組み合わせにより実現され得る。第８の態様では、前記安静範囲（Ａ１，Ａ３）は、前記対象者（５）が身体を安静状態としているときの前記対象者（５）の脳波の前記第１及び第２周波数帯域の成分がとり得る範囲である。第８の態様によれば、複数の条件から対象者に応じた判定条件を選択できる。
【０１６５】
第９の態様の脳波判定システム（１０）は、第７又は第８の態様との組み合わせにより実現され得る。第９の態様では、前記運動範囲（Ａ２，Ａ４）は、前記対象者（５）が随意運動を行おうと企図した場合に前記対象者（５）の脳波の前記第１及び第２周波数帯域の成分がとり得る範囲である。第９の態様によれば、複数の条件から対象者に応じた判定条件を選択できる。
【０１６６】
第１０の態様の脳波判定システム（１０）は、第７〜第９の態様のいずれか一つとの組み合わせにより実現され得る。第１０の態様では、前記第２種条件は、前記第１及び第２周波数帯域の成分に基づいて前記検出対象の脳波を検出する第１検出条件を含む。前記処理部（２１４）は、前記境界線（Ｌｔｈ１，Ｌｔｈ２）の傾きが負であれば、前記第１検出条件を選択する。第１０の態様によれば、複数の条件から対象者に応じた判定条件を選択できる。
【０１６７】
第１１の態様の脳波判定システム（１０）は、第１０の態様との組み合わせにより実現され得る。第１１の態様では、前記検出部（２１３）は、前記第１検出条件では、前記第１及び第２周波数帯域の成分が前記安静範囲（Ａ１，Ａ３）から前記運動範囲（Ａ２，Ａ４）へ遷移したことをもって、前記検出対象の脳波が生していると判断する。第１１の態様によれば、脳波の判定精度を向上できる。
【０１６８】
第１２の態様の脳波判定システム（１０）は、第７〜第１１の態様のいずれか一つとの組み合わせにより実現され得る。第１２の態様では、前記複数の条件は、更に、健常者の脳波に基づいて選択された１以上の周波数帯域の成分に基づいて前記検出対象の脳波を検出する第３種条件を含む。前記処理部（２１４）は、前記境界線の傾きが０又は正であれば、前記第３種条件を選択する。第１２の態様によれば、複数の条件から対象者に応じた判定条件を選択できる。
【０１６９】
第１３の態様の脳波判定方法は、第１ステップと、第２ステップとを含む。前記第１ステップは、対象者（５）の頭部（５２）の一部である測定箇所（５１）に配置される電極部（１１）にて採取される脳波を表す脳波情報を取得するステップである。前記第２ステップは、前記第１ステップで取得された前記脳波情報が判定条件を満たす場合に、特徴的な変化を含む脳波である検出対象の脳波が生じていると判定するステップである。前記判定条件は、複数の条件から選択される。前記複数の条件は、第１種条件と、第２種条件とを含む。前記第１種条件は、前記脳波情報で表される脳波に含まれる単一の周波数帯域の成分に基づいて前記検出対象の脳波が生じているかどうかを判定する条件である。前記第２種条件は、前記脳波情報で表される脳波に含まれる互いに異なる複数の周波数帯域の成分に基づいて前記検出対象の脳波が生じているかどうかを判定する条件である。第１３の態様によれば、脳波の判定精度を向上できる。
【０１７０】
第１４の態様のプログラムは、コンピュータシステムに、第１３の態様の脳波判定方法を実行させるためのプログラムである。第１４の態様によれば、脳波の判定精度を向上できる。
【０１７１】
第１５の態様の非一時的記録媒体は、コンピュータシステムに、第１３の態様の脳波判定方法を実行させるためのプログラムを記録した、コンピュータシステムで読取可能な非一時的記録媒体である。第１５の態様によれば、脳波の判定精度を向上できる。
【０１７２】
第１６の態様のリハビリテーション支援システム（１００）は、第１〜第１２の態様のいずれか一つの脳波判定システム（１０）と、運動補助装置（３）と、制御装置（４）と、を備える。前記運動補助装置（３）は、前記対象者（５）に機械的な刺激と電気的な刺激との少なくとも一方を加える機能を有する。前記制御装置（４）は、前記検出対象の脳波が生じていると前記脳波判定システム（１０）の前記検出部（２１３）が判定すると前記運動補助装置（３）を制御するように構成される。第１６の態様によれば、脳波の判定精度を向上できる。
【０１７３】
上記態様に限らず、実施形態に係る脳波判定システム（１０）の種々の構成（変形例を含む）は、脳波判定方法、（コンピュータ）プログラム、又はプログラムを記録した非一時的記録媒体等で具現化可能である。
【０１７４】
第２〜第１２の態様に係る構成については、脳波判定システム（１０）に必須の構成ではなく、適宜省略可能である。
【符号の説明】
【０１７５】
１０  脳波判定システム
１１  電極部
２１１  取得部
２１３  検出部
２１４  処理部
５  対象者
５１  測定箇所
５２  頭部
【図１】
2019078325.tif 000003
【図２】
2019078325.tif 000004
【図３】
2019078325.tif 000005
【図４】
2019078325.tif 000006
【図５】
2019078325.tif 000007
【図６】
2019078325.tif 000008
【図７】
2019078325.tif 000009
【図８】
2019078325.tif 000010
【図９】
2019078325.tif 000011
【図１０】
2019078325.tif 000012
【図１１】
2019078325.tif 000013
【図１２】
2019078325.tif 000014
【国際調査報告】
2019078325.tif 000015
2019078325.tif 000016
2019078325.tif 000017